(57)【特許請求の範囲】
【請求項１】
家電機器から前記家電機器に関する情報である家電情報を収集し、収集した前記家電情報から得られる情報である提供情報をユーザに提供する家電情報管理装置であって、
前記家電情報を管理する管理部と、
前記家電情報を他のユーザと共有するための共有情報であって前記ユーザ及び前記他のユーザに紐付いた共有情報と前記家電情報とを紐付けて保持している家電情報保持部とを備え、
前記家電情報保持部は、前記家電機器を操作したユーザごとに、前記家電機器を操作した前記ユーザまたは前記他のユーザに紐付けて、前記家電機器から収集された操作履歴を、前記家電情報として保持しており、
前記管理部は、前記ユーザから前記提供情報の提供を要求された場合に、前記家電情報保持部が保持しているデータを参照し、前記ユーザと紐付けて保持されている家電情報と、前記他のユーザと紐付けて保持されている家電情報であって前記ユーザに紐付いた前記共有情報と同一の共有情報に紐付けて保持されている家電情報とを取得し、取得した前記家電情報から得られる前記提供情報を前記ユーザへ提供する
家電情報管理装置。
【請求項２】
さらに、
前記家電機器から前記家電情報を受信するゲートウェイ端末と通信ネットワークを介して接続され、前記ゲートウェイ端末から前記家電情報を受信する通信部を備え、
前記管理部は、さらに、
前記ゲートウェイ端末に紐付いたユーザによって生成された最新の共有情報を、前記ゲートウェイ端末を識別するゲートウェイ識別情報とも紐付けて前記家電情報保持部に記憶させ、
前記ゲートウェイ端末から前記家電情報を受信したときに、前記ゲートウェイ識別情報と最新の共有情報とに紐付けられたユーザの家電情報として、受信した前記家電情報を前記家電情報保持部に記憶させる
請求項１に記載の家電情報管理装置。
【請求項３】
前記管理部は、さらに、
前記ユーザから前記家電機器の制御コマンドを受信した場合に、前記ユーザに紐付けられた共有情報が最新の共有情報の場合に、前記家電機器を制御するための制御コマンドを前記ゲートウェイ端末へ送信する
請求項２に記載の家電情報管理装置。
【請求項４】
さらに、
前記家電機器から前記家電情報を受信するゲートウェイ端末と通信ネットワークを介して接続され、前記ゲートウェイ端末から前記家電情報を受信する通信部を備え、
前記管理部は、さらに、
前記ゲートウェイ端末を登録したときに、前記ゲートウェイ端末に紐付けて登録されるユーザによって生成された前記共有情報を、前記ゲートウェイ端末を識別するゲートウェイ識別情報とも紐付けて前記家電情報保持部に記憶させ、
前記ゲートウェイ端末から共有情報と前記家電情報とを受信したときに、受信した前記共有情報と同一の共有情報に紐付いたユーザの家電情報として、受信した家電情報を前記家電情報保持部に記憶させる
請求項１に記載の家電情報管理装置。
【請求項５】
前記管理部は、さらに、
前記ユーザから前記家電機器の制御コマンドを受信した場合に、前記ユーザに紐付けられた共有情報と前記ゲートウェイ端末から受信した共有情報とが一致する場合にのみ、前記家電機器を制御するための制御コマンドを前記ゲートウェイ端末へ送信する
請求項４に記載の家電情報管理装置。
【請求項６】
前記管理部は、さらに、前記家電機器の識別情報を前記家電情報保持部に記憶させる際に、前記ユーザによって生成された前記共有情報を前記家電情報保持部に記憶させる
請求項１〜５のいずれか１項に記載の家電情報管理装置。
【請求項７】
前記家電情報保持部は、前記提供情報が提供されるユーザのグループの識別情報を前記共有情報として前記家電情報と紐付けて保持しており、
前記管理部は、前記ユーザから前記提供情報の提供を要求された場合に、前記家電情報保持部が保持しているデータを参照し、前記提供情報を前記ユーザに提供する
請求項１〜５のいずれか１項に記載の家電情報管理装置。
【請求項８】
前記管理部は、さらに、
第１のユーザに紐付けて前記家電機器の識別情報を前記家電情報保持部に記憶させる際に前記共有情報を前記家電情報保持部に記憶させ、
前記第１のユーザが、前記共有情報と同じ共有情報を付与するユーザとして第２のユーザを選択する場合、前記第２のユーザを識別するユーザ識別情報を受信し、
前記第１のユーザに紐付けられている共有情報を前記第２のユーザに紐付けて前記家電情報保持部に記憶させる
請求項７に記載の家電情報管理装置。
【請求項９】
前記管理部は、さらに、
前記家電機器の識別情報を前記家電情報保持部に記憶させる際に、前記家電機器の識別情報に紐付けられた第１のユーザの識別情報を前記家電情報保持部に記憶させ、
前記第１のユーザが、前記家電機器の識別情報を前記家電情報保持部に記憶させることを許可するユーザとして第２のユーザを選択する場合、前記第２のユーザを識別するユーザ識別情報を受信し、前記第２のユーザを識別するユーザ識別情報を前記家電機器の識別情報に紐付けて前記家電情報保持部に記憶させる
請求項１〜５のいずれか１項に記載の家電情報管理装置。
【請求項１０】
前記管理部は、さらに、
前記家電機器の識別情報を前記家電情報保持部に記憶させる際に、前記家電機器の識別情報に紐付けられた第１のユーザの識別情報を前記家電情報保持部に記憶させ、
第２のユーザに紐付けて前記家電機器の識別情報を前記家電情報保持部に記憶させる際に、前記第１のユーザへ登録の可否を問い合わせるために前記第２のユーザを識別するユーザ識別情報を送信し、
前記第１のユーザからの登録許可を受信した場合にのみ、前記第２のユーザのユーザ識別情報を前記家電機器の識別情報に紐付けて前記家電情報保持部に記憶させる
請求項１〜５のいずれか１項に記載の家電情報管理装置。
【請求項１１】
家電機器と、
前記家電機器から前記家電機器に関する情報である家電情報を収集し、収集した前記家電情報から得られる情報である提供情報をユーザに提供する請求項１〜１０のいずれか１項に記載の家電情報管理装置と
を備える家電情報共有システム。
【請求項１２】
家電機器から前記家電機器に関する情報である家電情報を収集し、収集した前記家電情報から得られる情報である提供情報をユーザに提供する家電情報共有方法であって、
前記ユーザから前記提供情報の提供を要求された場合に、前記家電情報を他のユーザと共有するための共有情報であって前記ユーザ及び前記他のユーザに紐付いた共有情報と前記家電情報とを紐付けて保持している家電情報保持部であって、前記家電機器を操作したユーザごとに前記家電機器を操作した前記ユーザまたは前記他のユーザに紐付けて前記家電機器から収集された操作履歴を前記家電情報として保持している家電情報保持部が保持しているデータを参照し、
前記ユーザと紐付けて保持されている家電情報と、前記他のユーザと紐付けて保持されている家電情報であって前記ユーザに紐付いた前記共有情報と同一の共有情報に紐付けて保持されている家電情報とを取得し、
取得した前記家電情報から得られる前記提供情報を前記ユーザへ提供する
家電情報共有方法。
【請求項１３】
請求項１２に記載の家電情報共有方法をコンピュータに実行させるためのプログラム。
【請求項１４】
家電機器から前記家電機器に関する情報である家電情報を収集し、収集した前記家電情報から得られる情報である提供情報をユーザに提供する集積回路であって、
前記家電情報を管理する管理部を備え、
前記管理部は、
前記ユーザから前記提供情報の提供を要求された場合に、前記家電情報を他のユーザと共有するための共有情報であって前記ユーザ及び前記他のユーザに紐付いた共有情報と前記家電情報とを紐付けて保持している家電情報保持部であって、前記家電機器を操作したユーザごとに前記家電機器を操作した前記ユーザまたは前記他のユーザに紐付けて前記家電機器から収集された操作履歴を、前記家電情報として保持している家電情報保持部が保持しているデータを参照し、
前記ユーザと紐付けて保持されている家電情報と、前記他のユーザと紐付けて保持されている家電情報であって前記ユーザに紐付いた前記共有情報と同一の共有情報に紐付けて保持されている家電情報とを取得し、
取得した前記家電情報から得られる前記提供情報を前記ユーザへ提供する
集積回路。
【発明の詳細な説明】
【技術分野】
【０００１】
本発明は、家電機器（以下、単に「家電」ともいう）から収集した家電情報を共有する家電情報管理装置、家電情報共有方法および家電情報共有システムに関する。
【背景技術】
【０００２】
１３．５６Ｍｈｚ帯の周波数を利用するＲＦＩＤ（Ｒａｄｉｏ  Ｆｒｅｑｕｅｎｃｙ  Ｉｄｅｎｔｉｆｉｃａｔｉｏｎ）規格には、ＩＳＯ  １４４４３  Ｔｙｐｅ  Ａ、ＩＳＯ  １４４４３  Ｔｙｐｅ  Ｂ、ＩＳＯ  １５６９３がある。また、それらのＲＦＩＤ規格を一括して扱えるように策定された近距離無線通信技術の国際標準規格としてＮＦＣ（Ｎｅａｒ  Ｆｉｅｌｄ  Ｃｏｍｕｎｉｃａｔｉｏｎ）規格がある。【０００３】
近年急速に普及しているスマートフォンがＮＦＣを採用したことにより、ＮＦＣを利用した多様なサービスの普及が予想される。スマートフォンでのＮＦＣ搭載が一般化されることにより、スマートフォン以外の機器（例えば、ウェルネス機器や白物家電など）にもＮＦＣが組み込まれる可能性が高まっている（例えば、非特許文献１を参照）。ＮＦＣタグが家電に組み込まれれば、家電と連携したサービスが実現可能となる。家電と連携したサービスでは、家電の中に蓄積保持している様々な情報（例えば、当該家電に関する情報（以下、単に「家電情報」という））を、ＮＦＣ機能を搭載したスマートフォンで読み取ることが可能となる。【０００４】
ここで、メールアドレスを利用することで、当該家電情報を特定のメンバー間で共有する技術が提案されている（例えば、特許文献１を参照）。
【先行技術文献】
【特許文献】
【０００５】
【特許文献１】登録実用新案第３１３６３８０号公報
【非特許文献】
【０００６】
【非特許文献１】日経エレクトロニクス  ２０１１年３月２１日号（Ｐ５６−Ｐ６３）
【発明の概要】
【発明が解決しようとする課題】
【０００７】
しかしながら、上記従来の家電情報を共有する技術では、メールアドレスを利用するため、ユーザのプライバシを保護することができない恐れがある。【０００８】
本発明は、ユーザのプライバシを保護しつつ家電情報を共有することができる家電情報管理装置、家電情報共有方法および家電情報共有システムを提供する。
【課題を解決するための手段】
【０００９】
本発明の一態様に係る家電情報管理装置は、家電機器から前記家電機器に関する情報である家電情報を収集し、収集した前記家電情報から得られる情報である提供情報をユーザに提供する家電情報管理装置であって、前記家電情報を管理する管理部と、前記家電情報を共有するための共有情報であって前記ユーザに紐付いた共有情報と前記家電情報とを紐付けて保持している家電情報保持部とを備え、前記管理部は、前記ユーザから前記提供情報の提供を要求された場合に、前記家電情報保持部が保持しているデータを参照し、前記ユーザに紐付いた前記共有情報と同一の共有情報に紐付けて保持されている家電情報を取得し、取得した前記家電情報から得られる前記提供情報を前記ユーザへ提供する。【００１０】
なお、これらの包括的または具体的な態様は、システム、方法、集積回路、コンピュータプログラムまたはコンピュータ読み取り可能なＣＤ−ＲＯＭ等の非一時的な記録媒体で実現されてもよく、装置、システム、方法、集積回路、コンピュータプログラムおよび記録媒体の任意な組み合わせで実現されてもよい。
【発明の効果】
【００１１】
本発明によれば、ユーザのプライバシを保護しつつ、家電情報を共有することができる。
【図面の簡単な説明】
【００１２】
【図１】図１は、実施の形態１における家電情報共有システムの全体構成図である。
【図２】図２は、実施の形態１における管理装置の構成図である。
【図３】図３は、実施の形態１における家電情報リストの一例を示す図である。
【図４】図４は、実施の形態１における携帯端末の構成図である。
【図５】図５は、実施の形態１における家電の構成図である。
【図６】図６は、実施の形態１における家電登録処理の流れを示すシーケンス図である。
【図７】図７は、実施の形態１における家電履歴情報のアップロード処理の流れを示すシーケンス図である。
【図８】図８は、実施の形態１におけるユーザＡが登録されている家電情報リストの一例を示す図である。
【図９】図９は、実施の形態１における家電情報取得処理の流れを示すシーケンス図である。
【図１０】図１０は、実施の形態１における共有コードの設定処理の流れを示すシーケンス図である。
【図１１】図１１は、実施の形態１におけるユーザＢが登録された家電情報リストの一例を示す図である。
【図１２】図１２は、実施の形態２における家電情報リストの一例を示す図である。
【図１３】図１３は、実施の形態２における家電登録処理の流れを示すシーケンス図である。
【図１４】図１４は、実施の形態２におけるユーザＡを登録した家電情報リストの一例を示す図である。
【図１５】図１５は、実施の形態２における家電情報取得処理の流れを示すシーケンス図である。
【図１６】図１６は、実施の形態２における家電情報リストの一例を示す図である。
【図１７】図１７は、実施の形態３における家電情報リストの一例を示す図である。
【図１８】図１８は、実施の形態３における家電登録処理の流れを示すシーケンス図である。
【図１９】図１９は、実施の形態３における家電登録処理の流れを示すシーケンス図である。
【図２０】図２０は、実施の形態３における家電情報取得処理の流れを示すシーケンス図である。
【図２１】図２１は、実施の形態３におけるユーザＢを登録した家電情報リストの一例を示す図である。
【図２２】図２２は、実施の形態４における家電登録処理の流れを示すシーケンス図である。
【図２３】図２３は、実施の形態４における家電登録処理の流れを示すシーケンス図である。
【図２４】図２４は、実施の形態４における家電登録処理の流れを示すシーケンス図である。
【図２５】図２５は、実施の形態５における家電情報共有システムの全体構成図である。
【図２６】図２６は、実施の形態５における管理装置の構成図である。
【図２７】図２７は、実施の形態５における家電情報リストの一例を示す図である。
【図２８】図２８は、実施の形態５におけるゲートウェイ端末の構成図である。
【図２９】図２９は、実施の形態５における携帯端末の構成図である。
【図３０】図３０は、実施の形態５における家電の構成図である。
【図３１】図３１は、実施の形態５における家電登録処理の流れを示すシーケンス図である。
【図３２】図３２は、実施の形態５における家電登録処理の流れを示すシーケンス図である。
【図３３】図３３は、実施の形態５における家電履歴情報のアップロード処理の流れを示すシーケンス図である。
【図３４】図３４は、実施の形態５における家電情報取得処理の流れを示すシーケンス図である。
【図３５】図３５は、実施の形態５におけるリモート制御処理の流れを示すシーケンス図である。
【図３６】図３６は、実施の形態５におけるリモート制御処理の流れを示すシーケンス図である。
【図３７】図３７は、実施の形態５の変形例における家電情報リストの一例を示す図である。
【発明を実施するための形態】
【００１３】
（本発明の基礎となった知見）
家電から読み出した家電情報をスマートフォンで読み取る場合、当該家電情報をスマートフォンに保持するのではなく、スマートフォンの通信機能を介してクラウドサーバへ送信して蓄積するサービスも考えられる。サーバ側で蓄積した家電情報をもとに、ユーザに適した様々なサービスを提供することが可能となる。
【００１４】
ここで、家電情報が家電の操作履歴や消費電力情報といったプライバシ情報である場合には、サーバに蓄積した家電情報が誰からでも閲覧できれば、プライバシ情報の漏洩となる。しかし、家電情報をサーバへ送信したユーザのみがサーバに蓄積された家電情報を閲覧できるとした場合、同じ家電を利用する、ユーザの家族であっても、家電情報を閲覧することができなくなる。また、家電本体で記憶できる家電情報のデータ量は家電に搭載したメモリの容量に依存する。例えば、家電情報を記憶できるメモリ容量が少ない場合、家電は、頻繁にサーバへ家電情報をアップロードする必要がある。
【００１５】
サーバに蓄積した情報を特定のメンバー間で共有する従来技術として、特許文献１に記載の技術がある。特許文献１では、サーバは、メールアドレスデータをユーザ端末の識別情報を特定するキーデータとして記憶する。ユーザが情報共有化を希望する場合、ユーザは、他のユーザ端末のメールアドレスデータを入力する。入力されたメールアドレスデータが、サーバ側で記憶しているメールアドレスデータと一致する場合、サーバ側で記憶されたデータがユーザ端末と他のユーザ端末との間で共有される。
【００１６】
しかしながら、本発明者は、上記技術に関し、以下の問題が生じることを見出した。つまり、サーバに蓄積した情報を共有する場合に、キーデータとしてメールアドレスが利用されれば、情報が共有されるべきではない相手が、メールでの通信を行うだけで、情報を共有できてしまうことがある。そのため、プライバシ情報が漏洩する恐れがある。
【００１７】
また、サーバに蓄積した情報を共有しない場合、家電情報をサーバに送信するタイミングにより、同じ家電を利用している家族間であっても閲覧できる家電情報が異なり、ユーザの利便性に欠けてしまう。
【００１８】
このような問題を解決するために、本発明の一態様に係る家電情報管理装置は、家電機器から前記家電機器に関する情報である家電情報を収集し、収集した前記家電情報から得られる情報である提供情報をユーザに提供する家電情報管理装置であって、前記家電情報を管理する管理部と、前記家電情報を共有するための共有情報であって前記ユーザに紐付いた共有情報と前記家電情報とを紐付けて保持している家電情報保持部とを備え、前記管理部は、前記ユーザから前記提供情報の提供を要求された場合に、前記家電情報保持部が保持しているデータを参照し、前記ユーザに紐付いた前記共有情報と同一の共有情報に紐付けて保持されている家電情報を取得し、取得した前記家電情報から得られる前記提供情報を前記ユーザへ提供する。
【００１９】
これにより、ユーザは、同一の家電に対し、同じ共有情報が設定されている場合に、家電情報（以下、提供情報も含めて家電情報という場合もある）を共有することができる。また、同じ共有情報を設定していない第三者とは家電情報を共有することはない。つまり、家電情報管理装置によれば、家電情報を第三者と共有することなく、同じ共有情報に紐付いたユーザと共有することで、家電情報などのプライバシ情報の漏洩を防止しつつ、家電情報を共有することができる。
【００２０】
また、例えば、さらに、前記家電機器から前記家電情報を受信するゲートウェイ端末と通信ネットワークを介して接続され、前記ゲートウェイ端末から前記家電情報を受信する通信部を備え、前記管理部は、さらに、前記ゲートウェイ端末に紐付いたユーザによって生成された最新の共有情報を、前記ゲートウェイ端末を識別するゲートウェイ識別情報とも紐付けて前記家電情報保持部に記憶させ、前記ゲートウェイ端末から前記家電情報を受信したときに、前記ゲートウェイ識別情報と最新の共有情報とに紐付けられたユーザの家電情報として、受信した前記家電情報を前記家電情報保持部に記憶させることにしてもよい。
【００２１】
これにより、家電から自動で家電情報を収集する場合において、最新の共有情報に紐付けられたユーザの家電情報として、受信した家電情報を登録することで、家電情報を正規のユーザに紐付けて登録することができる。このため、家電情報管理装置によれば、最新の共有情報を知っているユーザのみが、家電情報を取得することができるため、ユーザのプライバシを保護しつつ、当該家電情報を共有することができる。
【００２２】
また、例えば、前記管理部は、さらに、前記ユーザから前記家電機器の制御コマンドを受信した場合に、前記ユーザに紐付けられた共有情報が最新の共有情報の場合に、前記家電機器を制御するための制御コマンドを前記ゲートウェイ端末へ送信することにしてもよい。
【００２３】
これにより、リモート制御では、最新の共有情報を知っているユーザのみが制御コマンドを送信することができ、家電が不正に操作されることを防ぐことができる。
【００２４】
また、例えば、さらに、前記家電機器から前記家電情報を受信するゲートウェイ端末と通信ネットワークを介して接続され、前記ゲートウェイ端末から前記家電情報を受信する通信部を備え、前記管理部は、さらに、前記ゲートウェイ端末を登録したときに、前記ゲートウェイ端末に紐付けて登録されるユーザによって生成された前記共有情報を、前記ゲートウェイ端末を識別するゲートウェイ識別情報とも紐付けて前記家電情報保持部に記憶させ、前記ゲートウェイ端末から共有情報と前記家電情報とを受信したときに、受信した前記共有情報と同一の共有情報に紐付いたユーザの家電情報として、受信した家電情報を前記家電情報保持部に記憶させることにしてもよい。
【００２５】
これにより、家電から自動で家電情報を収集する場合において、共有情報を登録することで、家電情報を共有情報に紐付けて登録することができ、家電情報が不正に取得されることを防止することができる。つまり、家電情報管理装置によれば、ゲートウェイ端末に登録された共有情報を知っているユーザのみが、当該家電情報を取得することができるため、ユーザのプライバシを保護しつつ、当該家電情報を共有することができる。
【００２６】
また、例えば、前記管理部は、さらに、前記ユーザから前記家電機器の制御コマンドを受信した場合に、前記ユーザに紐付けられた共有情報と前記ゲートウェイ端末から受信した共有情報とが一致する場合にのみ、前記家電機器を制御するための制御コマンドを前記ゲートウェイ端末へ送信することにしてもよい。
【００２７】
これにより、リモート制御では、ゲートウェイ端末に記憶されている共有情報を知っているユーザのみが制御コマンドを送信することができ、家電が不正に操作されることを防ぐことができる。
【００２８】
また、例えば、前記管理部は、さらに、前記家電機器の識別情報を前記家電情報保持部に記憶させる際に、前記ユーザによって生成された前記共有情報を前記家電情報保持部に記憶させることにしてもよい。
【００２９】
これにより、家電情報管理装置は、家電を登録する際に共有情報を登録することで、当該家電に対応した共有情報を設定することができる。
【００３０】
また、例えば、前記家電情報保持部は、前記提供情報が提供されるユーザのグループの識別情報を前記共有情報として前記家電情報と紐付けて保持しており、前記管理部は、前記ユーザから前記提供情報の提供を要求された場合に、前記家電情報保持部が保持しているデータを参照し、前記提供情報を前記ユーザに提供することにしてもよい。
【００３１】
これにより、家電情報管理装置は、家電情報が提供されるユーザのグループの識別情報を共有情報として登録することで、当該家電情報を共有するコミュニティを設定することができる。
【００３２】
また、例えば、前記管理部は、さらに、第１のユーザに紐付けて前記家電機器の識別情報を前記家電情報保持部に記憶させる際に前記共有情報を前記家電情報保持部に記憶させ、前記第１のユーザが、前記共有情報と同じ共有情報を付与するユーザとして第２のユーザを選択する場合、前記第２のユーザを識別するユーザ識別情報を受信し、前記第１のユーザに紐付けられている共有情報を前記第２のユーザに紐付けて前記家電情報保持部に記憶させることにしてもよい。
【００３３】
これにより、ユーザは、同一の家電に対し、同じコミュニティを設定している場合にのみ、家電情報を共有することができる。また、同じコミュニティを設定していない第三者とは家電情報を共有することはない。さらに、コミュニティを設定するか否かを既に家電登録をしているユーザに確認して、コミュニティを設定することができる。これにより、第三者が勝手にコミュニティを設定して、家電情報を不正に取得することも防止することができる。つまり、家電情報管理装置によれば、家電情報を第三者と共有することなく、同じコミュニティを設定したユーザのみと共有することで、家電情報などのプライバシ情報の漏洩を防止しつつ、家電情報を共有することができる。
【００３４】
また、例えば、前記管理部は、さらに、前記家電機器の識別情報を前記家電情報保持部に記憶させる際に、前記家電機器の識別情報に紐付けられた第１のユーザの識別情報を前記家電情報保持部に記憶させ、前記第１のユーザが、前記家電機器の識別情報を前記家電情報保持部に記憶させることを許可するユーザとして第２のユーザを選択する場合、前記第２のユーザを識別するユーザ識別情報を受信し、前記第２のユーザを識別するユーザ識別情報を前記家電機器の識別情報に紐付けて前記家電情報保持部に記憶させることにしてもよい。
【００３５】
これにより、家電に対して、第１のユーザをマスターとして設定し、マスターが招待したユーザ（第２のユーザ）にのみ、家電情報を共有することができる。また、マスターが招待していない第三者は家電登録処理をできない。これにより、第三者が勝手に家電登録処理を実行して、家電情報を不正に取得することも防止することができる。つまり、家電情報管理装置によれば、家電情報を第三者と共有することなく、マスターが招待したユーザのみと共有することで、家電情報などのプライバシ情報の漏洩を防止しつつ、家電情報を共有することができる。
【００３６】
また、例えば、前記管理部は、さらに、前記家電機器の識別情報を前記家電情報保持部に記憶させる際に、前記家電機器の識別情報に紐付けられた第１のユーザの識別情報を前記家電情報保持部に記憶させ、第２のユーザに紐付けて前記家電機器の識別情報を前記家電情報保持部に記憶させる際に、前記第１のユーザへ登録の可否を問い合わせるために前記第２のユーザを識別するユーザ識別情報を送信し、前記第１のユーザからの登録許可を受信した場合にのみ、前記第２のユーザのユーザ識別情報を前記家電機器の識別情報に紐付けて前記家電情報保持部に記憶させることにしてもよい。
【００３７】
これにより、家電に対して、第１のユーザをマスターとして設定し、マスターが承認したユーザ（第２のユーザ）にのみ、家電登録処理ができる。マスターが承認していない第三者は家電登録処理をできないため、第三者が勝手に家電登録処理を実行して、家電情報を不正に取得することも防止することができる。つまり、家電情報管理装置によれば、家電情報を第三者と共有することなく、マスターが承認したユーザのみと共有することで、家電情報などのプライバシ情報の漏洩を防止しつつ、家電情報を共有することができる。
【００３８】
また、本発明は、このような家電情報管理装置として実現することができるだけでなく、家電機器と、上記の家電情報管理装置とを備える家電情報共有システムとしても実現することができる。
【００３９】
また、本発明は、このような家電情報管理装置が行う特徴的な処理をステップとする家電情報共有方法としても実現することができる。また、当該家電情報共有方法に含まれるステップをコンピュータに実行させるプログラムとして実現したり、当該プログラムが記録されたコンピュータ読み取り可能な記録媒体として実現したりすることもできる。そして、そのようなプログラムは、ＣＤ−ＲＯＭ等の記録媒体及びインターネット等の伝送媒体を介して流通させることができるのは言うまでもない。また、本発明は、当該家電情報管理装置に含まれる特徴的な処理部を備える集積回路としても実現することができる。また、これらの装置、方法、集積回路、コンピュータプログラムおよび記録媒体の任意な組み合わせで実現されてもよい。
【００４０】
以下、図面に基づき実施の形態を説明する。なお、以下で説明する実施の形態は、いずれも包括的または具体的な例を示すものである。つまり、以下の実施の形態で示される数値、形状、材料、構成要素、構成要素の配置および接続形態、ステップ、ステップの順序などは、本発明の一例であり、本発明を限定する主旨ではない。また、以下の実施の形態における構成要素のうち、最上位概念を示す独立請求項に記載されていない構成要素については、任意の構成要素として説明される。
【００４１】
（実施の形態１）
１．システムの構成
図１は、実施の形態１における家電情報共有システム１の全体構成図である。図１に示すように、家電情報共有システム１は、管理装置１０と、携帯端末２０と、携帯端末２１と、ＲＦＩＤタグ４０が実装された家電３０とを備える。携帯端末２０と携帯端末２１とは、同じ構成であり、例えば、近距離無線通信機能が搭載されたモバイル機器（例えば、携帯電話あるいはスマートフォンなど）である。
【００４２】
本実施の形態における近距離無線通信機能とは、例えば、１３．５６Ｍｈｚ帯の周波数を利用するＲＦＩＤ規格に規定されている通信機能である。ＲＦＩＤ規格は、ＩＳＯ  １４４４３  Ｔｙｐｅ  Ａ、ＩＳＯ  １４４４３  Ｔｙｐｅ  Ｂ、およびＩＳＯ  １５６９３に規定されている。また、近距離無線通信機能とは、それらのＲＦＩＤ規格を一括して扱えるように策定された近距離無線通信技術の国際標準規格であるＮＦＣ（Ｎｅａｒ  Ｆｉｅｌｄ  Ｃｏｍｕｎｉｃａｔｉｏｎ）規格であってもよい。以降、本実施の形態では、近距離無線通信機能によって実現される通信がＲＦＩＤ通信である場合について説明する。
【００４３】
管理装置１０は、家電情報管理装置に相当する。管理装置１０は、ＲＦＩＤタグを利用したサービスプラットフォームを提供する業者によって運営される。管理装置１０は、家電情報を収集し、収集した家電情報から得られる情報である提供情報をユーザに提供するなどのサービスを行う。サービス例として、各家電の消費電力状況などの使用履歴をユーザに対して提示したり、管理装置１０側から家電の制御コマンドや、家電の設定情報などを送信したりすることが挙げられる。サービスの詳細については、本発明の本質ではないので本実施の形態では言及しない。
【００４４】
なお、家電情報とは、例えば、後述の家電履歴情報や、機器ＩＤ、ユーザＩＤなど、家電に関する情報である。また、提供情報とは、後述の見える化データなど、当該家電情報から生成することができる情報であって、ユーザに提供するための種々の情報である。
【００４５】
携帯端末２０、２１は、ＲＦＩＤのリーダ／ライタ機能を利用して、家電３０内に蓄積されている家電情報を、ＲＦＩＤタグ４０を介して読み取る。また、携帯端末２０、２１はＲＦＩＤ通信１６で読み取った家電情報を、ネットワーク１５を介して、管理装置１０へ送信する。
【００４６】
２．管理装置１０の構成
図２は、実施の形態１における管理装置１０の構成図である。図２に示すように、管理装置１０は、通信部１０１と、制御部１０２と、家電情報管理部１０３と、見える化データ生成部１０４と、家電情報保持部１０５とを備える。なお、制御部１０２、家電情報管理部１０３及び見える化データ生成部１０４は、家電情報を管理する管理部としての機能を有する。
【００４７】
通信部１０１は、携帯端末２０、２１から家電情報を受信し、携帯端末２０、２１へ家電３０の制御コマンドや設定情報を送信する。
【００４８】
制御部１０２は、家電情報管理部１０３や見える化データ生成部１０４を制御する。具体的には、制御部１０２は、通信部１０１から受信した家電情報を家電情報管理部１０３へ送信する。また、制御部１０２は、家電情報管理部１０３で生成した家電の制御コマンドや設定情報を、通信部１０１を介して携帯端末２０、２１へ送信する。
【００４９】
また、制御部１０２は、携帯端末２０、２１からユーザＩＤおよび機器ＩＤを受信し、見える化データ生成部１０４へ、ユーザＩＤおよび機器ＩＤと共に見える化データの生成指示を送信する。そして、制御部１０２は、見える化データ生成部１０４が家電情報から生成した見える化データを、通信部１０１を介して携帯端末２０、２１へ送信する。つまり、制御部１０２は、家電情報から得られた提供情報である見える化データをユーザに提供する。ここで、見える化データとは、例えば家電の操作履歴や、エコ情報、累積の電気代などを示すデータである。
【００５０】
家電情報管理部１０３は、制御部１０２から受信した家電情報を家電情報保持部１０５へ記録する。つまり、家電情報管理部１０３は、受信した家電情報を家電情報保持部１０５へ記憶させることで、後述の家電情報リスト１０５１を更新する。また、家電情報管理部１０３は、当該家電機器の識別情報を家電情報保持部１０５に記憶させる際に、ユーザによって生成された共有情報を家電情報保持部１０５に記憶させる。ここで、共有情報とは、家電情報を共有するための情報であって、ユーザに紐付いた情報であり、本実施の形態では、後述の共有コードである。また、家電情報管理部１０３は、家電の制御コマンドや設定情報を生成し、制御部１０２へ送信する。
【００５１】
見える化データ生成部１０４は、ユーザから提供情報の提供を要求された場合に、制御部１０２の指示に従って、家電情報保持部１０５が保持しているデータである後述の家電情報リスト１０５１を参照し、当該ユーザに紐付いた共有情報と同一の共有情報に紐付けて保持されている家電情報を取得する。そして、見える化データ生成部１０４は、取得した家電情報を用いて、当該ユーザへ提供するための提供情報としての見える化データを生成する。具体的には、見える化データ生成部１０４は、制御部１０２からユーザＩＤおよび機器ＩＤを受信し、家電履歴情報を用いて当該ユーザＩＤに対応するユーザの家電の見える化データを生成する。
【００５２】
家電情報保持部１０５は、家電情報を共有するための共有情報であってユーザに紐付いた共有情報と家電情報とを紐付けて保持しているメモリである。具体的には、家電情報保持部１０５は、当該共有情報としての共有コードと、家電の履歴情報や家電の機器ＩＤなどの家電情報とが紐付けられたデータである家電情報リスト１０５１を保持している。
【００５３】
図３は、実施の形態１における家電情報リスト１０５１の一例を示した図である。家電情報リスト１０５１は、家電を識別するための機器ＩＤ、ユーザを識別するためのユーザＩＤ、家電履歴情報を共有するために用いる共有コード、および家電履歴情報などから構成される。
【００５４】
機器ＩＤは、家電を識別するためのユニークなＩＤである。また、ユーザＩＤは、ユーザを識別するためのユニークなＩＤである。共有コードは、ユーザが他のユーザと家電履歴情報を共有するために設定するコードである。家電履歴情報は、家電の操作履歴や家電の設定情報などである。例えば、家電を冷蔵庫とした場合、家電履歴情報は、冷蔵庫のドアの開閉回数や庫内の温度の設定情報などである。なお、家電情報リスト１０５１には、家電の消費電力情報などの上記以外の情報が含まれていてもよい。
【００５５】
３．携帯端末２０の構成
図４は、実施の形態１における携帯端末２０の機能ブロック図である。同図に示すように、携帯端末２０は、通信部２０１と、ＲＦＩＤ通信部２０２と、制御部２０３と、表示部２０４と、データ入力部２０５とを備える。携帯端末２１も携帯端末２０と同様の構成のため、ここでは携帯端末２１の説明は省略する。
【００５６】
通信部２０１は、管理装置１０との通信を行う。具体的には、通信部２０１は、管理装置１０から、見える化データ、家電の制御コマンドや設定情報を受信する。また、通信部２０１は、データ入力部２０５を介してユーザが入力したユーザＩＤおよびパスワード、あるいは共有コードや、家電３０から収集した家電履歴情報などの家電情報を管理装置１０へ送信する。
【００５７】
ＲＦＩＤ通信部２０２は、家電３０からＲＦＩＤ通信で家電情報を収集する。また、ＲＦＩＤ通信部２０２は、家電の制御コマンドや設定情報をＲＦＩＤ通信で家電３０へ送信する。
【００５８】
制御部２０３は、管理装置１０から通信部２０１を介して受信した家電の制御コマンドや設定情報を、ＲＦＩＤ通信部２０２を介して家電３０へ送信する。また、制御部２０３は、管理装置１０から受信した見える化データと共に表示指示を表示部２０４へ送信する。さらに、制御部２０３は、データ入力部２０５で入力されたユーザＩＤおよびパスワード、あるいは共有コードを、通信部２０１を介して管理装置１０へ送信する。
【００５９】
表示部２０４は、制御部２０３の表示指示に従って、管理装置１０が生成した見える化データを表示する。なお、表示部２０４は、例えば、タッチパネル、ＬＣＤ（Ｌｉｑｕｉｄ  Ｃｒｙｓｔａｌ  Ｄｉｓｐｌａｙ）またはＣＲＴ（Ｃａｔｈｏｄｅ−Ｒａｙ  Ｔｕｂｅ）等の表示画面である。
【００６０】
データ入力部２０５は、管理装置１０へのログインに用いるユーザＩＤおよびパスワードと、家電情報の共有に用いる共有コードとの入力をユーザから受け付ける。なお、データ入力部２０５は、ソフトウェアキーボードや入力ボタンなどの入力操作部である。
【００６１】
４．家電３０の構成
図５は、実施の形態１における家電３０の機能ブロック図である。同図に示すように、家電３０は、タグ通信部３０１と、制御部３０２と、家電識別情報記憶部３０３と、家電履歴情報保持部３０４と、ＲＦＩＤタグ４０とを備える。
【００６２】
タグ通信部３０１は、ＲＦＩＤタグ４０との通信を制御し、家電履歴情報などの家電情報を、ＲＦＩＤ通信で携帯端末２０、２１へ送信する。
【００６３】
制御部３０２は、家電３０の操作があった場合に、家電３０の操作履歴やユーザが設定した設定情報を家電履歴情報保持部３０４へ記憶させる。また、制御部３０２は、ＲＦＩＤ通信で携帯端末２０、２１から受信した制御コマンドに基づいて家電３０の制御を行う。
【００６４】
家電識別情報記憶部３０３は、家電３０を識別するためのユニークなＩＤである機器ＩＤを記憶するメモリである。
【００６５】
家電履歴情報保持部３０４は、家電３０の操作履歴などの家電履歴情報を記憶するメモリである。
【００６６】
５．家電登録処理の動作
まず、管理装置１０へ家電の登録を行う家電登録処理の動作について説明する。
【００６７】
図６は、実施の形態１における家電登録処理の流れを示すシーケンス図である。
【００６８】
携帯端末２０を使うユーザは、管理装置１０へのログインを行うために、ユーザＩＤとパスワードとを携帯端末２０のデータ入力部２０５を介して携帯端末２０に入力する。そして、携帯端末２０の制御部２０３は、ユーザから入力されたユーザＩＤとパスワードとを通信部２０１を介して管理装置１０へ送信する（Ｓ１００１）。
【００６９】
次に、携帯端末２０の制御部２０３は、管理装置１０へ家電３０を登録するため、ＲＦＩＤ通信部２０２を介して家電３０に対し、家電３０を識別するための機器ＩＤの読み出し要求を送信する（Ｓ１００２）。
【００７０】
そして、家電３０のタグ通信部３０１は、携帯端末２０から機器ＩＤの読み出し要求を受信すると、記憶している機器ＩＤをＲＦＩＤ通信で携帯端末２０へ送信する（Ｓ１００３）。
【００７１】
そして、携帯端末２０の制御部２０３は、家電３０から機器ＩＤを受信すると、家電３０を登録するために、家電登録要求とともに受信した機器ＩＤを通信部２０１を介して管理装置１０へ送信する（Ｓ１００４）。
【００７２】
そして、管理装置１０の制御部１０２は、携帯端末２０から家電登録要求を受信すると、受信した機器ＩＤとユーザＩＤ（ログインしているユーザのユーザＩＤ）とを紐付けて、家電３０の登録を行う（Ｓ１００５）。具体的には、家電情報管理部１０３が、制御部１０２を介して機器ＩＤとユーザＩＤとを受信し、当該機器ＩＤとユーザＩＤとを紐付けて家電情報保持部１０５の家電情報リスト１０５１に書き込むことで、家電３０の登録を行う。
【００７３】
次に、管理装置１０の制御部１０２は、通信部１０１を介して携帯端末２０に、家電履歴情報を共有するための共有コード設定要求を送信する（Ｓ１００６）。
【００７４】
携帯端末２０の制御部２０３は、管理装置１０から共有コード設定要求を受信すると、データ入力部２０５を介してユーザに共有コードを入力させる。そして、携帯端末２０の制御部２０３は、ユーザが入力した共有コードを通信部２０１を介して管理装置１０へ送信する（Ｓ１００７）。
【００７５】
管理装置１０の制御部１０２は、携帯端末２０から共有コードを受信すると、受信した共有コードを機器ＩＤとユーザＩＤとに紐付けて当該共有コードを登録する（Ｓ１００８）。具体的には、家電情報管理部１０３が、制御部１０２を介して共有コードを受信し、当該共有コードを機器ＩＤとユーザＩＤとに紐付けて家電情報リスト１０５１に書き込む。
【００７６】
６．家電履歴情報のアップロード処理の動作
次に、家電履歴情報のアップロード処理の動作について説明する。
【００７７】
図７は、実施の形態１における家電履歴情報のアップロード処理の流れを示すシーケンス図である。
【００７８】
まず、家電３０の制御部３０２は、ユーザが家電３０を操作するごとに、家電３０の操作履歴を家電履歴情報として家電履歴情報保持部３０４に記録する（Ｓ１１０１）。
【００７９】
また、携帯端末２０は、家電履歴情報をアップロードするために、ユーザから入力されたユーザＩＤとパスワードとを管理装置１０へ送信する（Ｓ１１０２）。つまり、携帯端末２０の制御部２０３は、当該ユーザＩＤとパスワードとを通信部２０１を介して管理装置１０へ送信する。これにより、ユーザは、管理装置１０にログインする。
【００８０】
続いて、携帯端末２０の制御部２０３は、ＲＦＩＤ通信部２０２を介して家電履歴情報をアップロードする必要がある家電３０に対し、機器ＩＤと家電履歴情報との読み出し要求を家電履歴情報読み出し要求として送信する（Ｓ１１０３）。
【００８１】
家電履歴情報読み出し要求を受信した家電３０のタグ通信部３０１は、家電識別情報記憶部３０３に記憶されている機器ＩＤと家電履歴情報保持部３０４に記録されている家電履歴情報とを、携帯端末２０へ送信する（Ｓ１１０４）。
【００８２】
そして、携帯端末２０の制御部２０３は、家電３０から受信した機器ＩＤと家電履歴情報とを通信部２０１を介して管理装置１０へ送信する（Ｓ１１０５）。
【００８３】
そして、管理装置１０の制御部１０２は、携帯端末２０から受信した機器ＩＤと家電履歴情報とを、ステップＳ１１０２で受信したユーザＩＤ（ログインしているユーザのユーザＩＤ）と紐付けて家電情報保持部１０５に記録する（Ｓ１１０６）。具体的には、家電情報管理部１０３が、制御部１０２を介して機器ＩＤと家電履歴情報とを受信し、当該機器ＩＤと家電履歴情報とをユーザＩＤに紐付けて家電情報リスト１０５１に書き込む。
【００８４】
図８は、実施の形態１におけるユーザＡが登録されている家電情報リストの一例を示す図である。つまり、同図は、ステップＳ１１０６の後に、家電情報保持部１０５が保持する家電情報リスト１０５１Ａの一例を示す図である。図８に示すように、管理装置１０の家電情報管理部１０３は、受信した機器ＩＤに紐付けられたユーザＩＤの家電履歴情報の領域に家電履歴情報を記録する。
【００８５】
７．見える化データの取得処理の動作
次に、見える化データの取得処理の動作について説明する。
【００８６】
図９は、実施の形態１における家電情報取得処理の流れを示すシーケンス図である。具体的には、同図は、見える化データの取得処理の流れを示すシーケンス図である。
【００８７】
見える化データを取得したいユーザは、管理装置１０へログインするために、携帯端末２０のデータ入力部２０５を介してユーザＩＤとパスワードとを入力する。そして、携帯端末２０の制御部２０３は、ユーザから入力されたユーザＩＤとパスワードとを通信部２０１を介して管理装置１０へ送信する（Ｓ１２０１）。
【００８８】
次に、携帯端末２０の制御部２０３は、見える化データを取得したい家電の機器ＩＤと共に見える化データ取得要求を通信部２０１を介して管理装置１０へ送信する（Ｓ１２０２）。
【００８９】
そして、管理装置１０の制御部１０２は、通信部１０１を介してユーザＩＤ（ログインしているユーザのユーザＩＤ）と機器ＩＤと見える化データ取得要求とを受信し、ユーザＩＤと機器ＩＤと見える化データの生成指示とを見える化データ生成部１０４に送信する。見える化データ生成部１０４は、家電情報リスト１０５１を参照し、受信したユーザＩＤと機器ＩＤとに紐付けられて記録されている共有コードを検索することにより、ログインしているユーザの共有コードを特定する。そして、見える化データ生成部１０４は、家電情報リスト１０５１を参照し、受信した機器ＩＤに紐付けられた他のユーザＩＤに対して、ログインしているユーザの共有コードと同じ共有コードが設定されているか否かを判定する（Ｓ１２０３）。
【００９０】
見える化データ生成部１０４は、ログインしているユーザと同じ共有コードが設定されていないと判定した場合（Ｓ１２０３でＮ）には、家電情報リスト１０５１を参照し、ログインしているユーザのユーザＩＤに紐付けられている家電履歴情報を取得する（Ｓ１２０４）。
【００９１】
見える化データ生成部１０４は、ログインしているユーザと同じ共有コードが設定されていると判定した場合（Ｓ１２０３でＹ）には、家電情報リスト１０５１を参照し、ログインしているユーザのユーザＩＤに紐付けられている家電履歴情報と、ログインしているユーザと同じ共有コードが設定されている他のユーザＩＤに紐付けられている家電履歴情報とを取得する（Ｓ１２０５）。
【００９２】
そして、見える化データ生成部１０４は、取得した家電履歴情報から、見える化データを生成する（Ｓ１２０６）。つまり、見える化データ生成部１０４は、ログインしているユーザと同じ共有コードのユーザの家電履歴情報を用いて、例えば、家電の操作履歴や、エコ情報、累積の電気代などを示すデータを生成する。
【００９３】
そして、制御部１０２は、見える化データ生成部１０４が生成した見える化データを携帯端末２０に送信する（Ｓ１２０７）。
【００９４】
そして、携帯端末２０の制御部２０３は、受信した見える化データを表示部２０４に表示する（Ｓ１２０８）。
【００９５】
７．１．同じ共有コードが設定されている場合の家電履歴情報の共有
図９のステップＳ１２０３において、他のユーザＩＤに対して、ログインしているユーザの共有コードと同じ共有コードが設定されていると判定された場合、その他のユーザＩＤに紐付けられた家電履歴情報は共有される。以下に、具体的な例を用いて説明する。
【００９６】
図１０は、実施の形態１における共有コードの設定処理の流れを示すシーケンス図である。具体的には、同図は、ユーザＡによる家電３０の家電登録処理後に、携帯端末２１を持つユーザＢによる家電３０の家電登録処理の流れを示すシーケンス図である。
【００９７】
携帯端末２１を持つユーザＢは、ユーザＡと家電履歴情報を共有するために、ユーザＡが家電３０に設定している共有コードを確認する（Ｓ１３０１）。これ以降の家電登録処理（Ｓ１３０２からＳ１３０９）は、図６における家電登録処理（Ｓ１００１からＳ１００８）と同様のため、ここでは説明を省略する。ただし、ステップＳ１３０８において、携帯端末２１が管理装置１０に送信する共有コードは、ユーザＡが設定している共有コードと同じ共有コードである。
【００９８】
図１１は、実施の形態１におけるユーザＢが登録された家電情報リストの一例を示す図である。具体的には、同図は、ユーザＡとユーザＢとが同じ共有コードで家電３０を登録した場合の家電情報リスト１０５１Ｂの一例を示す図である。
【００９９】
図１１の家電情報リスト１０５１Ｂには、機器ＩＤが同じ家電３０に対し、ユーザＡとユーザＢとで同じ共有コードが設定されている。このため、ユーザＡから見える化データの取得要求があった場合、管理装置１０の見える化データ生成部１０４は、ステップＳ１２０５で同じ共有コードが設定されているユーザＢの家電履歴情報も取得する。そして、管理装置１０の見える化データ生成部１０４は、ステップＳ１２０６でユーザＡの家電履歴情報とユーザＢの家電履歴情報とを用いて、見える化データを生成する。
【０１００】
８．効果
上記実施の形態により、同一の家電に対し、同じ共有コードが設定されている場合にのみ、家電履歴情報が共有できる。また、同じ共有コードを設定していない第三者とは家電履歴情報を共有することはない。つまり、本実施の形態によれば、家電履歴情報を第三者と共有することなく、同じ共有コードが設定されているユーザとのみ共有することができるので、家電履歴情報などのプライバシ情報の漏洩を防止しつつ、家電情報を共有することができる。
【０１０１】
（実施の形態２）
実施の形態２では、家電履歴情報を共有するコミュニティを設定することで、同じコミュニティのユーザ間では家電履歴情報を共有し、コミュニティが違うユーザには、家電履歴情報を共有しない。家電履歴情報のアップロード処理に関しては、実施の形態１と同様であるためここでは説明を省略する。
【０１０２】
図１２は、実施の形態２における家電情報リスト１０５２の一例を示した図である。実施の形態１の家電情報リスト１０５１と異なる点として、家電履歴情報を共有するために用いる共有コードに代えて、コミュニティの識別情報が記録されている。つまり、コミュニティの識別情報が、家電情報を共有するための共有情報である。コミュニティの識別情報とは、図１２を例に説明すると、ユーザＡとユーザＢとを同じコミュニティとした場合、コミュニティの識別情報はどちらもコミュニティ１となり、ユーザＣが別のコミュニティの場合、コミュニティ２となる。
【０１０３】
９．家電登録処理の動作
実施の形態２における家電登録処理の動作について説明する。
【０１０４】
図１３は、実施の形態２における家電登録処理の流れを示すシーケンス図である。ここでは、携帯端末２１を持つユーザＢが既に家電３０の家電登録処理を実行し、携帯端末２０を持つユーザＡが同じ家電である家電３０の家電登録処理を実行する場合を例に、具体的に説明する。
【０１０５】
携帯端末２０を使うユーザＡは、管理装置１０へのログインを行うために、携帯端末２０にユーザＩＤとパスワードとを携帯端末２０のデータ入力部２０５を介して入力する。そして、携帯端末２０の制御部２０３は、ユーザから入力されたユーザＩＤとパスワードとを通信部２０１を介して管理装置１０へ送信する（Ｓ２００１）。
【０１０６】
次に、携帯端末２０の制御部２０３は、管理装置１０へ家電３０を登録するために、ＲＦＩＤ通信部２０２を介して家電３０に対し、家電３０を識別するための機器ＩＤの読み出し要求を送信する（Ｓ２００２）。
【０１０７】
そして、家電３０のタグ通信部３０１は、携帯端末２０から機器ＩＤの読み出し要求を受信すると、記憶している機器ＩＤをＲＦＩＤ通信で携帯端末２０へ送信する（Ｓ２００３）。
【０１０８】
そして、携帯端末２０の制御部２０３は、家電３０から機器ＩＤを受信すると、家電３０の登録のために、家電登録要求とともに受信した機器ＩＤを通信部２０１を介して管理装置１０へ送信する（Ｓ２００４）。
【０１０９】
次に、管理装置１０の家電情報管理部１０３は、制御部１０２を介して携帯端末２０から家電登録要求を受信すると、受信した機器ＩＤとログインしているユーザのユーザＩＤとを紐付けて、家電情報リスト１０５２に家電３０の登録を行う（Ｓ２００５）。つまり、家電情報管理部１０３は、当該機器ＩＤとユーザＩＤとを紐付けて家電情報リスト１０５２に書き込むことで、家電３０の登録を行う。
【０１１０】
次に、管理装置１０の制御部１０２は、通信部１０１を介して携帯端末２０に、家電履歴情報を共有するためのコミュニティ設定要求を送信する（Ｓ２００６）。
【０１１１】
携帯端末２０の制御部２０３は、管理装置１０からコミュニティ設定要求を受信すると、家電履歴情報を共有するか否かをユーザＡに確認する（Ｓ２００７）。つまり、携帯端末２０は、表示部２０４に家電履歴情報を共有するか否かを確認する画面を表示し、ユーザＡのデータ入力部２０５からの入力によって、家電履歴情報を共有するか否かを判断する。
【０１１２】
そして、携帯端末２０の制御部２０３は、家電履歴情報を共有しないと判断した場合（Ｓ２００７でＮ）、コミュニティの非設定を管理装置１０へ通知する（Ｓ２００８）。
【０１１３】
また、携帯端末２０の制御部２０３は、家電履歴情報を共有すると判断した場合（Ｓ２００７でＹ）、同じコミュニティに設定するユーザＩＤの入力をデータ入力部２０５を介してユーザＡから受け付ける（Ｓ２００９）。そして、携帯端末２０の制御部２０３は、入力されたユーザＩＤを管理装置１０へ送信する（Ｓ２０１０）。
【０１１４】
これ以降、家電３０を既に登録している携帯端末２１を持つユーザＢのユーザＩＤが携帯端末２０に入力されたと仮定して、説明する。
【０１１５】
管理装置１０の制御部１０２は、家電情報リスト１０５２を参照して、携帯端末２０から受信したユーザＩＤからユーザＢを特定し、ユーザＢの携帯端末２１へユーザＡを識別できる情報と共に共有依頼を送信する（Ｓ２０１１）。なお、送信方法は、携帯端末２１への電子メールでもよいし、サービスを管理するアプリケーションがあれば、アプリケーションを起動したときに通知をすることにしてもよい。また、ユーザＡを識別できる情報は、ユーザＡのユーザＩＤでもよいし、ユーザＡのメールアドレスなどでもよい。
【０１１６】
次に、共有依頼を受信した携帯端末２１を持つユーザＢは、管理装置１０へのログインを行うために、ユーザＩＤとパスワードとを携帯端末２１に入力する。携帯端末２１は、入力されたユーザＩＤとパスワードとを管理装置１０へ送信する（Ｓ２０１２）。
【０１１７】
次に、ユーザＢは、受信したユーザＡの識別情報から特定したユーザＡと家電履歴情報を共有するか否かを判断し、共有依頼結果を携帯端末２１に入力する。そして、携帯端末２１は、共有依頼結果を管理装置１０へ送信する（Ｓ２０１３）。
【０１１８】
管理装置１０の制御部１０２は、携帯端末２１から共有依頼結果を受信し、共有依頼結果を携帯端末２０へ送信する（Ｓ２０１４）。
【０１１９】
次に、管理装置１０の家電情報管理部１０３は、共有依頼結果を基に、コミュニティの登録を行う（Ｓ２０１５）。つまり、家電情報管理部１０３は、制御部１０２を介して共有依頼結果を受信し、当該共有依頼結果がユーザＡと家電履歴情報を共有することを示す場合には、ユーザＡのコミュニティがユーザＢと同じコミュニティになるように家電情報リスト１０５２に書き込むことで、コミュニティの登録を行う。
【０１２０】
図１４は、実施の形態２におけるユーザＡを登録した家電情報リストの一例を示す図である。つまり、同図は、ステップＳ２０１３において、ユーザＢがユーザＡと家電履歴情報を共有すると判断し、ステップＳ２０１５において、管理装置１０の家電情報管理部１０３がコミュニティの登録を行った場合の家電情報リスト１０５２Ａの一例を示した図である。
【０１２１】
同図に示すように、ユーザＢがユーザＡと家電履歴情報を共有すると判断し、ユーザＡとユーザＢとが同じコミュニティとなった場合、ユーザＡおよびユーザＢのコミュニティの欄に同じコミュニティの識別情報が付与される。
【０１２２】
１０．見える化データの取得処理の動作
次に、実施の形態２における見える化データの取得処理の動作について説明する。
【０１２３】
図１５は、実施の形態２における家電情報取得処理の流れを示すシーケンス図である。具体的には、同図は、見える化データ取得処理の流れを示すシーケンス図である。
【０１２４】
見える化データを取得したいユーザは、管理装置１０へログインするために、携帯端末２０のデータ入力部２０５を介してユーザＩＤとパスワードとを入力する。そして、携帯端末２０の制御部２０３は、ユーザから入力されたユーザＩＤとパスワードとを通信部２０１を介して管理装置１０へ送信する（Ｓ２１０１）。
【０１２５】
次に、携帯端末２０の制御部２０３は、見える化データを取得したい家電の機器ＩＤと共に見える化データ取得要求を通信部２０１を介して管理装置１０へ送信する（Ｓ２１０２）。
【０１２６】
そして、管理装置１０の制御部１０２は、通信部１０１を介してユーザＩＤ（ログインしているユーザのユーザＩＤ）と機器ＩＤと見える化データ取得要求とを受信し、ユーザＩＤと機器ＩＤと見える化データの生成指示とを見える化データ生成部１０４に送信する。見える化データ生成部１０４は、家電情報リスト１０５２を参照し、受信したユーザＩＤと機器ＩＤとに紐付けられて記録されているコミュニティの識別情報を検索することにより、ログインしているユーザのコミュニティを特定する。そして、見える化データ生成部１０４は、家電情報リスト１０５２を参照し、受信した機器ＩＤに紐付けられた他のユーザＩＤに対して、ログインしているユーザと同じコミュニティが設定されているか否かを判定する（Ｓ２１０３）。
【０１２７】
見える化データ生成部１０４は、ログインしているユーザと同じコミュニティが設定されていないと判定した場合（Ｓ２１０３でＮ）には、家電情報リスト１０５２を参照し、ログインしているユーザのユーザＩＤに紐付けられている家電履歴情報を取得する（Ｓ２１０４）。
【０１２８】
見える化データ生成部１０４は、ログインしているユーザと同じコミュニティが設定されていると判定した場合（Ｓ２１０３でＹ）には、家電情報リスト１０５２を参照し、ログインしているユーザのユーザＩＤに紐付けられている家電履歴情報と、ログインしているユーザのコミュニティと同じコミュニティの他のユーザＩＤに紐付けられている家電履歴情報とを取得する（Ｓ２１０５）。
【０１２９】
そして、見える化データ生成部１０４は、取得した家電履歴情報から見える化データを生成する（Ｓ２１０６）。つまり、見える化データ生成部１０４は、ログインしているユーザと同じコミュニティのユーザの家電履歴情報を用いて、例えば、家電の操作履歴や、エコ情報、累積の電気代などを示すデータを生成する。
【０１３０】
そして、制御部１０２は、見える化データ生成部１０４が生成した見える化データを携帯端末２０に送信する（Ｓ２１０７）。
【０１３１】
そして、携帯端末２０の制御部２０３は、受信した見える化データを表示部２０４に表示する（Ｓ２１０８）。
【０１３２】
同じコミュニティが設定されている場合の見える化データの生成について、図１６の家電情報リスト１０５２Ｂを一例に、具体的に説明する。図１６は、実施の形態２における家電情報リストの一例を示す図である。つまり、同図は、ユーザＡとユーザＢとが家電３０を登録している家電情報リストの一例を示した図である。
【０１３３】
ステップＳ２１０３において、管理装置１０の見える化データ生成部１０４は、携帯端末２０を持つユーザＡと同じコミュニティが家電情報リスト１０５２Ｂに設定されているか否かを検索する。図１６の例では、ユーザＢのコミュニティの欄にユーザＡと同じコミュニティが設定されている。
【０１３４】
このとき、ステップＳ２１０５において、見える化データ生成部１０４は、ユーザＡの家電履歴情報Ａ１からＡ３と、ユーザＢの家電履歴情報Ｂ１とを取得する。さらにステップＳ２１０６において、見える化データ生成部１０４は、取得した家電履歴情報Ａ１からＡ３と家電履歴情報Ｂ１とを用いて、見える化データを生成する。
【０１３５】
以上のように、家電情報保持部１０５は、提供情報が提供されるユーザのグループの識別情報であるコミュニティの識別情報を共有情報として、家電情報と紐付けて保持している。
【０１３６】
また、家電情報管理部１０３は、第１のユーザ（ユーザＡ）に紐付けて家電機器の識別情報（機器ＩＤ）を家電情報保持部１０５に記憶させる際に、共有情報を家電情報保持部１０５に記憶させる。また、家電情報管理部１０３は、当該第１のユーザが、第１のユーザの共有情報（コミュニティ１）と同じ共有情報を付与するユーザとして第２のユーザ（ユーザＢ）を選択する場合、当該第２のユーザを識別するユーザ識別情報（ユーザＩＤ）を受信し、当該第１のユーザに紐付けられている共有情報（コミュニティ１）を当該第２のユーザに紐付けて家電情報保持部１０５に記憶させる。
【０１３７】
そして、見える化データ生成部１０４は、ユーザから提供情報の提供を要求された場合に、家電情報保持部１０５が保持しているデータである家電情報リスト１０５２を参照し、提供情報としての見える化データを生成する。そして、制御部１０２は、見える化データ生成部１０４が生成した提供情報である見える化データを当該ユーザに提供する。
【０１３８】
１１．効果
上記実施の形態により、同一の家電に対し、同じコミュニティを設定している場合にのみ、家電履歴情報が共有できる。また、同じコミュニティを設定していない第三者とは家電履歴情報を共有することはない。本実施の形態では、さらにコミュニティを設定するか否かを既に家電登録をしているユーザに確認して、コミュニティを設定している。これにより、第三者が勝手にコミュニティを設定して、家電履歴情報を不正に取得することも防止している。つまり、本実施の形態によれば、家電履歴情報を第三者と共有することなく、同じコミュニティを設定したユーザのみと共有することで、家電履歴情報などのプライバシ情報の漏洩を防止しつつ、家電情報を共有することができる。
【０１３９】
（実施の形態３）
実施の形態３では、家電履歴情報の共有を許可する１人のユーザをマスターとして家電ごとに設定する。そして、マスターが招待したユーザのみが家電を登録することができ、マスターが招待しなかったユーザは、家電を登録することができないように管理する。これにより、マスターが招待したユーザ間で家電履歴情報を共有することができる。家電履歴情報のアップロード処理に関しては、実施の形態１と同様であるためここでは説明を省略する。
【０１４０】
図１７は、実施の形態３における家電情報リスト１０５３の一例を示した図である。実施の形態１の家電情報リスト１０５１と異なる点として、家電履歴情報を共有するために用いる共有コードに代えて、家電履歴情報の共有を許可するマスターを識別するための情報が記録されている。つまり、当該マスターを識別するための情報が、家電情報を共有するための共有情報である。例えば、ユーザＢとユーザＣとがともにユーザＡをマスターとしている場合に、このユーザＡがマスターであることを示す情報が、家電情報を共有するための共有情報である。実施の形態３では、家電に対して最初に家電登録処理を行ったユーザをマスターとする。
【０１４１】
１２．家電登録処理の動作
実施の形態３における家電登録処理の動作について説明する。
【０１４２】
図１８および図１９は、実施の形態３における家電登録処理の流れを示すシーケンス図である。
【０１４３】
ここでは、携帯端末２０を持つユーザＡが家電３０の家電登録処理を実行し、ユーザＡがマスターとなる場合を例に、具体的に説明する。
【０１４４】
携帯端末２０を使うユーザＡは、管理装置１０へのログインを行うために、携帯端末２０にユーザＩＤとパスワードとを携帯端末２０のデータ入力部２０５を介して入力する。そして、携帯端末２０の制御部２０３は、ユーザから入力されたユーザＩＤとパスワードとを通信部２０１を介して管理装置１０へ送信する（Ｓ３００１）。
【０１４５】
次に、携帯端末２０の制御部２０３は、管理装置１０へ家電３０を登録するために、ＲＦＩＤ通信部２０２を介して家電３０に対し、家電を識別するための機器ＩＤの読み出し要求を送信する（Ｓ３００２）。
【０１４６】
そして、家電３０のタグ通信部３０１は、携帯端末２０から機器ＩＤの読み出し要求を受信すると、記憶している機器ＩＤをＲＦＩＤ通信で携帯端末２０へ送信する（Ｓ３００３）。
【０１４７】
そして、携帯端末２０の制御部２０３は、家電３０から機器ＩＤを受信すると、家電３０の登録のために、家電登録要求とともに受信した機器ＩＤを通信部２０１を介して管理装置１０へ送信する（Ｓ３００４）。
【０１４８】
次に、管理装置１０の家電情報管理部１０３は、制御部１０２を介して携帯端末２０から家電登録要求を受信すると、受信した機器ＩＤとログインしているユーザのユーザＩＤとを紐付けて、家電情報リスト１０５３に家電３０の登録を行う（Ｓ３００５）。つまり、家電情報管理部１０３は、当該機器ＩＤとユーザＩＤとを紐付けて家電情報リスト１０５３に書き込むことで、家電３０の登録を行う。
【０１４９】
次に、管理装置１０の制御部１０２は、通信部１０１を介して、家電履歴情報を共有するか否かを確認するための共有設定要求を携帯端末２０へ送信する（Ｓ３００６）。
【０１５０】
携帯端末２０の制御部２０３は、管理装置１０から共有設定要求を受信すると、家電履歴情報を共有するか否かをユーザＡに確認する（Ｓ３００７）。つまり、携帯端末２０は、表示部２０４に家電履歴情報を共有するか否かを確認する画面を表示し、ユーザＡのデータ入力部２０５からの入力によって、家電履歴情報を共有するか否かを判断する。
【０１５１】
そして、携帯端末２０の制御部２０３は、家電履歴情報を共有しないと判断した場合（Ｓ３００７でＮ）、家電履歴情報の共有の非設定を管理装置１０へ通知する（Ｓ３００８）。
【０１５２】
また、携帯端末２０の制御部２０３は、家電履歴情報を共有すると判断した場合（Ｓ３００７でＹ）、家電履歴情報を共有する他のユーザのユーザＩＤの入力をデータ入力部２０５を介してユーザＡから受け付ける（Ｓ３００９）。そして、携帯端末２０の制御部２０３は、入力されたユーザＩＤを管理装置１０へ送信する（Ｓ３０１０）。
【０１５３】
これ以降、ユーザＡが入力したユーザＩＤが、携帯端末２１を持つユーザＢのユーザＩＤであると仮定して、説明する。
【０１５４】
管理装置１０の制御部１０２は、家電情報リスト１０５３を参照して、携帯端末２０から受信したユーザＩＤからユーザＢを特定し、ユーザＢの携帯端末２１へユーザＡを識別できる情報と共に共有依頼を送信する（Ｓ３０１１）。なお、送信方法は、携帯端末２１への電子メールでもよいし、サービスを管理するアプリケーションがあれば、アプリケーションを起動したときに通知をすることにしてもよい。また、ユーザＡを識別できる情報は、ユーザＡのユーザＩＤでもよいし、ユーザＡのメールアドレスなどでもよい。
【０１５５】
次に、共有依頼を受信した携帯端末２１を持つユーザＢは、管理装置１０へのログインを行うために、ユーザＩＤとパスワードとを携帯端末２１に入力する。携帯端末２１は、入力されたユーザＩＤとパスワードとを管理装置１０へ送信する（Ｓ３０１２）。
【０１５６】
次に、ユーザＢは、受信したユーザＡの識別情報から特定したユーザＡと家電履歴情報を共有するか否かを判断する（Ｓ３０１３）。つまり、携帯端末２１は、表示部にユーザＡと家電履歴情報を共有するか否かを確認する画面を表示し、ユーザＢのデータ入力部からの入力によって、ユーザＡと家電履歴情報を共有するか否かを判断する。
【０１５７】
そして、携帯端末２１は、ユーザＢがユーザＡとの家電履歴情報の共有を拒否したと判断した場合（Ｓ３０１３でＮ）、共有拒否を管理装置１０へ通知する（Ｓ３０１４）。
【０１５８】
また、携帯端末２１は、ユーザＢがユーザＡと家電履歴情報を共有すると判断した場合（Ｓ３０１３でＹ）、家電の登録処理を実行する。具体的には、携帯端末２１は、家電３０に対し、家電３０を識別するための機器ＩＤの読み出し要求を送信する（Ｓ３０１５）。
【０１５９】
そして、家電３０のタグ通信部３０１は、携帯端末２１から機器ＩＤの読み出し要求を受信すると、記憶している機器ＩＤをＲＦＩＤ通信で携帯端末２１へ送信する（Ｓ３０１６）。
【０１６０】
そして、携帯端末２１は、家電３０から機器ＩＤを受信すると、管理装置１０へ共有依頼結果とともに受信した機器ＩＤを送信する（Ｓ３０１７）。
【０１６１】
そして、管理装置１０の制御部１０２は、携帯端末２１から共有依頼結果と機器ＩＤとを受信し、共有依頼結果を携帯端末２０へ送信する（Ｓ３０１８）。
【０１６２】
次に、管理装置１０の家電情報管理部１０３は、ユーザＢの家電３０の登録を行う（Ｓ３０１９）。つまり、家電情報管理部１０３は、制御部１０２を介して共有依頼結果を受信し、当該共有依頼結果がユーザＢが家電履歴情報を共有することを示す場合には、ユーザＢを家電３０に紐付けて家電情報リスト１０５３に書き込むことで、ユーザＢの家電３０の登録を行う。
【０１６３】
以上のように、家電情報管理部１０３は、家電機器の識別情報（機器ＩＤ）を家電情報保持部１０５に記憶させる際に、家電機器の識別情報に紐付けられた第１のユーザ（ユーザＡ）を家電情報保持部１０５に記憶させる。また、家電情報管理部１０３は、第１のユーザが、家電機器の識別情報を家電情報保持部１０５に記憶させることを許可するユーザとして第２のユーザ（ユーザＢ）を選択する場合、第２のユーザを識別するユーザ識別情報を受信し、当該第２のユーザを識別するユーザ識別情報を家電機器の識別情報に紐付けて家電情報保持部１０５に記憶させる。
【０１６４】
１３．見える化データの取得処理の動作
次に、実施の形態３における見える化データの取得処理の動作について説明する。
【０１６５】
図２０は、実施の形態３における家電情報取得処理の流れを示すシーケンス図である。具体的には、同図は、見える化データ取得処理の流れを示すシーケンス図である。
【０１６６】
見える化データを取得したいユーザは、管理装置１０へログインするために、携帯端末２０のデータ入力部２０５を介してユーザＩＤとパスワードとを入力する。そして、携帯端末２０の制御部２０３は、ユーザから入力されたユーザＩＤとパスワードとを通信部２０１を介して管理装置１０へ送信する（Ｓ３１０１）。
【０１６７】
次に、携帯端末２０の制御部２０３は、見える化データを取得したい家電の機器ＩＤと共に見える化データ取得要求を通信部２０１を介して管理装置１０へ送信する（Ｓ３１０２）。
【０１６８】
そして、管理装置１０の制御部１０２は、通信部１０１を介してユーザＩＤ（ログインしているユーザのユーザＩＤ）と機器ＩＤと見える化データ取得要求とを受信し、ユーザＩＤと機器ＩＤと見える化データの生成指示とを見える化データ生成部１０４に送信する。見える化データ生成部１０４は、家電情報リスト１０５３を参照し、受信したユーザＩＤが機器ＩＤに紐付けられて登録されていることを確認し、登録されているすべてのユーザの家電履歴情報を取得する（Ｓ３１０３）。
【０１６９】
そして、管理装置１０の見える化データ生成部１０４は、取得した家電履歴情報から、見える化データを生成する（Ｓ３１０４）。つまり、見える化データ生成部１０４は、登録されているすべてのユーザの家電履歴情報を用いて、例えば、家電の操作履歴や、エコ情報、累積の電気代などを示すデータを生成する。
【０１７０】
そして、制御部１０２は、見える化データ生成部１０４が生成した見える化データを携帯端末２０に送信する（Ｓ３１０５）。
【０１７１】
そして、携帯端末２０の制御部２０３は、受信した見える化データを表示部２０４に表示する（Ｓ３１０６）。
【０１７２】
複数のユーザが登録されている場合の見える化データの生成について、図２１の家電情報リスト１０５３Ａを一例に、具体的に説明する。図２１は、実施の形態３におけるユーザＢを登録した家電情報リストの一例を示す図である。つまり、同図は、ユーザＡがマスターとなり、ユーザＡとユーザＢとが家電３０を登録している家電情報リストの一例を示した図である。
【０１７３】
ステップＳ３１０３において、管理装置１０の見える化データ生成部１０４は、ユーザＡの家電履歴情報Ａ１からＡ３と、ユーザＢの家電履歴情報Ｂ１とを取得する。さらに、ステップＳ３１０４において、見える化データ生成部１０４は、取得した家電履歴情報Ａ１からＡ３と家電履歴情報Ｂ１とを用いて、見える化データを生成する。
【０１７４】
１４．効果
上記実施の形態により、家電に対して、マスターを設定し、マスターが招待したユーザにのみ、家電履歴情報が共有できる。また、マスターが招待していない第三者は家電登録処理をできない。これにより、第三者が勝手に家電登録処理を実行して、家電履歴情報を不正に取得することも防止している。つまり、本実施の形態によれば、家電履歴情報を第三者と共有することなく、マスターが招待したユーザのみと共有することで、家電履歴情報などのプライバシ情報の漏洩を防止しつつ、家電情報を共有することができる。
【０１７５】
（実施の形態４）
実施の形態４では、家電履歴情報の共有を許可する１人のユーザをマスターとして家電ごとに設定する。そして、実施の形態３と異なり、マスターが承認したユーザのみが家電を登録することができ、マスターが承認しなかったユーザは、家電を登録することができないように管理する。これにより、マスターが承認したユーザ間で家電履歴情報を共有することができる。家電履歴情報のアップロード処理に関しては、実施の形態１と同様であるためここでは省略する。また、見える化データの取得処理に関しては、実施の形態３と同様であるためここでは説明を省略する。
【０１７６】
１５．家電登録処理の動作
実施の形態４における家電登録処理の動作について説明する。
【０１７７】
まず、マスターが登録されていない家電に対しての家電登録処理の動作について説明する。
【０１７８】
図２２は、実施の形態４における家電登録処理の流れを示すシーケンス図である。具体的には、同図は、マスターを登録する家電登録処理の流れを示すシーケンス図である。
【０１７９】
ここでは、携帯端末２０を持つユーザＡが家電３０の家電登録処理を実行し、ユーザＡがマスターとなる場合を例に、具体的に説明する。
【０１８０】
携帯端末２０を使うユーザＡは、管理装置１０へのログインを行うために、携帯端末２０にユーザＩＤとパスワードとを携帯端末２０のデータ入力部２０５を介して入力する。そして、携帯端末２０の制御部２０３は、ユーザから入力されたユーザＩＤとパスワードとを通信部２０１を介して管理装置１０へ送信する（Ｓ４００１）。
【０１８１】
次に、携帯端末２０の制御部２０３は、管理装置１０へ家電３０を登録するために、ＲＦＩＤ通信部２０２を介して家電３０に対し、家電を識別するための機器ＩＤの読み出し要求を送信する（Ｓ４００２）。
【０１８２】
そして、家電３０のタグ通信部３０１は、携帯端末２０から機器ＩＤの読み出し要求を受信すると、記憶している機器ＩＤをＲＦＩＤ通信で携帯端末２０へ送信する（Ｓ４００３）。
【０１８３】
そして、携帯端末２０の制御部２０３は、家電３０から機器ＩＤを受信すると、家電３０の登録のために、家電登録要求とともに受信した機器ＩＤを通信部２０１を介して管理装置１０へ送信する（Ｓ４００４）。
【０１８４】
次に、管理装置１０の家電情報管理部１０３は、制御部１０２を介して携帯端末２０から家電登録要求を受信すると、受信した機器ＩＤに対してマスターが登録されているか否かを判断する（Ｓ４００５）。
【０１８５】
家電情報管理部１０３は、マスターが登録されていないと判断した場合（Ｓ４００５でＮ）、ユーザＡをマスターとして家電情報リストに家電の登録を行う（Ｓ４００６）。
【０１８６】
また、家電情報管理部１０３は、マスターが登録されていると判断した場合（Ｓ４００５でＹ）、マスターへ家電の登録許可を確認する（Ｓ４００７）。登録許可の確認以降の処理は後述する。
【０１８７】
次に、マスターが登録されている家電に対しての家電登録処理について、説明する。
【０１８８】
図２３および図２４は、実施の形態４におけるマスターが登録されている場合の家電登録処理の流れを示すシーケンス図である。
【０１８９】
ここでは、家電３０に対し、携帯端末２０を持つユーザＡが既にマスターとして登録されており、携帯端末２１を持つユーザＢが新たに家電を登録する例を用いて説明する。
【０１９０】
携帯端末２１を使うユーザＢは、管理装置１０へのログインを行うために、ユーザＩＤとパスワードとを携帯端末２１に入力する。携帯端末２１は、入力されたユーザＩＤとパスワードとを管理装置１０へ送信する（Ｓ４１０１）。
【０１９１】
携帯端末２１は、管理装置１０へ家電３０を登録するために、家電３０に対し、家電３０を識別するための機器ＩＤの読み出し要求を送信する（Ｓ４１０２）。家電３０は、携帯端末２１から機器ＩＤの読み出し要求を受信すると、記憶している機器ＩＤを携帯端末２１へ送信する（Ｓ４１０３）。携帯端末２１は、家電３０から機器ＩＤを受信すると、家電登録のために、管理装置１０へ家電登録要求とともに機器ＩＤを送信する（Ｓ４１０４）。
【０１９２】
次に、管理装置１０の家電情報管理部１０３は、制御部１０２を介して携帯端末２１から家電登録要求を受信すると、家電情報リストを参照し、受信した機器ＩＤの家電に対してマスターが登録されているか否かを判断する（Ｓ４１０５）。
【０１９３】
家電情報管理部１０３は、マスターが登録されていないと判断した場合（Ｓ４１０５でＮ）、ユーザＢをマスターとして家電情報リストに家電の登録を行う（Ｓ４１０６）。ここでは、既にユーザＡがマスターとして登録されているため（Ｓ４１０５でＹ）、家電情報管理部１０３は、マスターへ家電の登録許可を確認する（Ｓ４１０７）。
【０１９４】
つまり、家電情報管理部１０３は、家電の登録依頼と、登録依頼をしているユーザＢの識別情報とを携帯端末２０へ送信する（Ｓ４１０８）。なお、送信方法は、携帯端末２０への電子メールでもよいし、サービスを管理するアプリケーションがあれば、アプリケーションを起動したときに通知をすることにしてもよい。また、ユーザの識別情報は、ユーザのユーザＩＤでもよいし、ユーザのメールアドレスなどでもよい。
【０１９５】
登録依頼を受信した携帯端末２０を持つユーザＡは、管理装置１０へのログインを行うために、ユーザＩＤとパスワードとを携帯端末２０のデータ入力部２０５を介して入力する。そして、携帯端末２０の制御部２０３は、入力されたユーザＩＤとパスワードとを通信部２０１を介して管理装置１０へ送信する（Ｓ４１０９）。
【０１９６】
次に、ユーザＡは、受信したユーザの識別情報から特定したユーザの家電登録を許可するか否かを判断する（Ｓ４１１０）。つまり、携帯端末２０は、表示部２０４にユーザＢの家電登録を許可するか否かを確認する画面を表示し、ユーザＡのデータ入力部２０５からの入力によって、ユーザＢの家電登録を許可するか否かを判断する。
【０１９７】
そして、携帯端末２０の制御部２０３は、ユーザＡがユーザＢの家電登録を拒否したと判断した場合（Ｓ４１１０でＮ）、登録拒否を登録依頼結果として管理装置１０へ通知する（Ｓ４１１１）。
【０１９８】
また、携帯端末２０の制御部２０３は、ユーザＡがユーザＢの家電登録を許可すると判断した場合（Ｓ４１１０でＹ）、登録許可を登録依頼結果として管理装置１０へ通知する（Ｓ４１１２）。
【０１９９】
管理装置１０の制御部１０２は、受信した登録依頼結果を携帯端末２１へ送信する（Ｓ４１１３）。また、当該登録依頼結果が登録を許可することを示す場合（Ｓ４１１０でＹ）、管理装置１０の家電情報管理部１０３は、ユーザＢの家電３０を家電情報リストに登録する（Ｓ４１１４）。
【０２００】
以上のように、家電情報管理部１０３は、家電機器の識別情報（機器ＩＤ）を家電情報保持部１０５に記憶させる際に、家電機器の識別情報に紐付けられた第１のユーザ（ユーザＡ）を家電情報保持部１０５に記憶させる。また、家電情報管理部１０３は、第２のユーザ（ユーザＢ）に紐付けて家電機器の識別情報を家電情報保持部１０５に記憶させる際に、第１のユーザへ登録の可否を問い合わせるために第２のユーザを識別するユーザ識別情報を送信する。そして、家電情報管理部１０３は、第１のユーザからの登録許可を受信した場合にのみ、第２のユーザのユーザ識別情報を家電機器の識別情報に紐付けて家電情報保持部１０５に記憶させる。
【０２０１】
１６．効果
上記実施の形態により、家電に対して、マスターを設定し、マスターが承認したユーザにのみ、家電登録処理ができる。マスターが承認していない第三者は家電登録処理をできないため、第三者が勝手に家電登録処理を実行して、家電履歴情報を不正に取得することも防止している。つまり、本実施の形態によれば、家電履歴情報を第三者と共有することなく、マスターが承認したユーザのみと共有することで、家電履歴情報などのプライバシ情報の漏洩を防止しつつ、家電情報を共有することができる。
【０２０２】
（実施の形態５）
実施の形態５では、家電から家電情報を自動的に収集し、家電を登録したユーザ間で家電情報を共有する家電情報共有システム２を説明する。
【０２０３】
１７．システムの構成
図２５は、実施の形態５における家電情報共有システム２の全体構成図である。図２５に示すように、家電情報共有システム２は、管理装置１１と、ゲートウェイ端末５０と、携帯端末２２と、無線アダプタ４１が実装された家電３１とを備える。
【０２０４】
携帯端末２２は、携帯電話やスマートフォンなどのモバイル機器である。本実施の形態５では、ゲートウェイ端末５０と無線アダプタ４１とのネットワークは無線通信１７である。無線通信とは、例えば無線ＬＡＮ（ＩＥＥＥ８０２．１１など）やＢｌｕｅｔｏｏｔｈ（登録商標）、ＺｉｇＢｅｅ、特定小電力無線であったりしてもよい。
【０２０５】
管理装置１１は、家電の情報を収集し、サービスを提供する家電情報管理装置である。サービスの詳細については、本発明の本質ではないので本実施の形態では言及しない。
【０２０６】
携帯端末２２は、管理装置１１に蓄積されている家電情報を表示したり、管理装置１１に家電のリモート制御の依頼を送信したりする。
【０２０７】
ゲートウェイ端末５０は、無線アダプタ４１と通信し、家電３１の状態の変化や家電３１への操作が行われたときに、ネットワーク１５を介して管理装置１１へ情報を送信する。
【０２０８】
１８．管理装置１１の構成
図２６は、実施の形態５における管理装置１１の構成図である。図２６に示すように、管理装置１１は、通信部１１１と、制御部１１２と、家電情報管理部１１３と、見える化データ生成部１１４と、家電情報保持部１１５とを備える。なお、制御部１１２、家電情報管理部１１３及び見える化データ生成部１１４は、家電情報を管理する管理部としての機能を有する。
【０２０９】
通信部１１１は、ゲートウェイ端末５０から家電情報を受信し、ゲートウェイ端末５０へ家電の制御コマンドや設定情報を送信する。
【０２１０】
制御部１１２は、家電情報管理部１１３や見える化データ生成部１１４を制御する。具体的には、制御部１１２は、通信部１１１から受信した家電情報を家電情報管理部１１３へ送信する。また、制御部１１２は、家電情報管理部１１３で生成した家電の制御コマンドや設定情報を、通信部１１１を介してゲートウェイ端末５０へ送信する。
【０２１１】
また、制御部１１２は、携帯端末２２からユーザＩＤおよび家電機器ＩＤを受信し、見える化データ生成部１１４へ、ユーザＩＤおよび家電機器ＩＤと共に見える化データの生成指示を送信する。そして、制御部１１２は、見える化データ生成部１０４が生成した見える化データを、通信部１１１を介して携帯端末２２へ送信する。ここで、見える化データとは、例えば家電の操作履歴や、エコ情報、累積の電気代などを示すデータである。
【０２１２】
家電情報管理部１１３は、制御部１１２から受信した家電情報を家電情報保持部１１５へ記録する。つまり、家電情報管理部１１３は、受信した家電情報を家電情報保持部１１５へ記憶させることで、後述の家電情報リスト１０５５を更新する。また、家電情報管理部１１３は、家電の制御コマンドや設定情報を生成し、制御部１１２へ送信する。
【０２１３】
見える化データ生成部１１４は、制御部１１２からユーザＩＤおよび家電機器ＩＤを受信し、家電履歴情報を用いて当該ユーザＩＤに対応するユーザの家電の見える化データを生成する。
【０２１４】
家電情報保持部１１５は、家電の履歴情報や家電の家電機器ＩＤなどの家電情報のリストである家電情報リスト１０５５を保持しているメモリである。
【０２１５】
図２７は、実施の形態５における家電情報リスト１０５５の一例を示した図である。家電情報リスト１０５５は、ゲートウェイ端末を識別するためのＧＷ機器ＩＤ、家電を識別するための家電機器ＩＤ、ユーザを識別するためのユーザＩＤ、家電履歴情報を共有するために用いる共有パスワード、および家電履歴情報から構成される。つまり、当該共有パスワードが、家電情報を共有するための共有情報である。
【０２１６】
ＧＷ機器ＩＤは、ゲートウェイ端末を識別するためのユニークなＩＤである。家電機器ＩＤは、家電を識別するためのユニークなＩＤである。また、ユーザＩＤは、ユーザを識別するためのユニークなＩＤである。共有パスワードは、ユーザが他のユーザと家電履歴情報を共有したり、家電へのリモート制御をしたりするために設定するパスワードである。家電履歴情報は、家電の操作履歴や家電の設定情報などである。なお、家電情報リスト１０５５には、家電の消費電力情報などの上記以外の情報が含まれていてもよい。
【０２１７】
１９．ゲートウェイ端末５０の構成
図２８は、実施の形態５におけるゲートウェイ端末５０の機能ブロック図である。同図に示すように、ゲートウェイ端末５０は、通信部５０１と、無線通信部５０２と、制御部５０３と、識別情報記憶部５０４と、共有パスワード記憶部５０５とを備える。
【０２１８】
通信部５０１は、管理装置１１との通信を行う。具体的には、通信部５０１は、管理装置１１から家電の制御コマンドや設定情報を受信する。また、通信部５０１は、家電３１から収集した家電履歴情報などの家電情報を管理装置１１へ送信する。
【０２１９】
無線通信部５０２は、家電３１から無線通信で家電情報を収集する。また、無線通信部５０２は、家電の制御コマンドや設定情報を無線通信で家電３１へ送信する。
【０２２０】
制御部５０３は、管理装置１１から通信部５０１を介して受信した家電の制御コマンドや設定情報を、無線通信部５０２を介して家電３１へ送信する。また、制御部５０３は、通信部５０１を介して識別情報記憶部５０４で記憶しているゲートウェイ端末の識別情報を送信する。また、制御部５０３は、管理装置１１から受信した共有パスワードを共有パスワード記憶部５０５へ格納する。
【０２２１】
識別情報記憶部５０４は、ゲートウェイ端末５０の識別情報を記憶するメモリである。
【０２２２】
共有パスワード記憶部５０５は、管理装置１１から受信した共有パスワードを記憶するメモリである。
【０２２３】
２０．携帯端末２２の構成
図２９は、実施の形態５における携帯端末２２の機能ブロック図である。同図に示すように、携帯端末２２は、通信部２２１と、制御部２２２と、表示部２２３と、データ入力部２２４とを備える。
【０２２４】
通信部２２１は、管理装置１１との通信を行う。具体的には、通信部２２１は、管理装置１１から見える化データを受信する。また、通信部２２１は、管理装置１１へリモート制御の指示を送信する。
【０２２５】
制御部２２２は、管理装置１１から受信した見える化データと共に表示指示を表示部２２３へ送信する。さらに、制御部２２２は、データ入力部２２４で入力されたユーザＩＤやパスワード、共有パスワード、家電へのリモート制御の指示を、通信部５０１を介して管理装置１１へ送信する。
【０２２６】
表示部２２３は、制御部２２２の表示指示に従って、管理装置１１が生成した見える化データを表示する。なお、表示部２２３は、例えば、タッチパネル、ＬＣＤ（Ｌｉｑｕｉｄ  Ｃｒｙｓｔａｌ  Ｄｉｓｐｌａｙ）またはＣＲＴ（Ｃａｔｈｏｄｅ−Ｒａｙ  Ｔｕｂｅ）等の表示画面である。
【０２２７】
データ入力部２２４は、管理装置１１へのログインに用いるユーザＩＤやパスワード、家電情報の共有に用いる共有パスワード、および家電のリモート制御の設定情報をユーザに入力させる。なお、データ入力部２２４は、ソフトウェアキーボードや入力ボタンなどの入力操作部である。
【０２２８】
２１．家電３１の構成
図３０は、実施の形態５における家電３１の機能ブロック図である。同図に示すように、家電３１は、アダプタ通信部３１１と、制御部３１２と、家電識別情報記憶部３１３と、無線アダプタ４１とを備える。
【０２２９】
アダプタ通信部３１１は、無線アダプタ４１との通信を制御し、家電履歴情報などの家電情報を、無線通信でゲートウェイ端末５０へ送信する。
【０２３０】
制御部３１２は、家電３１の操作があった場合に、家電３１の操作履歴やユーザが設定した設定情報を、無線アダプタ４１を介して管理装置１１へ送信する。また、制御部３１２は、無線通信でゲートウェイ端末５０から受信した制御コマンドに基づいて家電３１の制御を行う。
【０２３１】
家電識別情報記憶部３１３は、家電３１を識別するためのユニークなＩＤである家電機器ＩＤを記憶するメモリである。
【０２３２】
２２．家電登録処理の動作
管理装置１１へ家電の登録を行う家電登録処理の動作について説明する。本実施の形態の家電登録処理では、管理装置１１にゲートウェイ端末５０が登録されていない場合、ゲートウェイ端末５０が管理する家電３１や共有パスワードが登録されていない。この場合、管理装置１１は、共有パスワードの設定から家電３１の登録までを行う。一方、管理装置１１にゲートウェイ端末５０が登録されている場合、家電３１や共有パスワードが既に登録されている。このとき、管理装置１１は、受信した共有パスワードが登録されている共有パスワードと一致する場合にのみ、ゲートウェイ端末５０が管理する家電３１の登録を許可する。詳細な処理の流れを説明する。
【０２３３】
図３１および図３２は、実施の形態５における家電登録処理の流れを示すシーケンス図である。
【０２３４】
携帯端末２２を使うユーザは、管理装置１１へのログインを行うために、携帯端末２２のデータ入力部２２４を介して、携帯端末２２にユーザＩＤとパスワードとを入力する。そして、携帯端末２２の制御部２２２は、ユーザから入力されたユーザＩＤとパスワードとを通信部２２１を介して管理装置１１へ送信する（Ｓ５００１）。
【０２３５】
次に、携帯端末２２の制御部２２２は、管理装置１１へゲートウェイ端末５０を登録するために、ゲートウェイ端末５０を識別するためのＧＷ機器ＩＤを取得する（Ｓ５００２）。ここで、ＧＷ端末ＩＤがゲートウェイ端末５０本体に記載されている場合は、携帯端末２２は、ＧＷ端末ＩＤをゲートウェイ端末５０本体から直接読み取ってもよい。また、ゲートウェイ端末５０に携帯端末２２との通信機能がある場合には、携帯端末２２は、ゲートウェイ端末５０から通信でＧＷ端末ＩＤを取得してもよい。
【０２３６】
そして、携帯端末２２の制御部２２２は、取得したＧＷ機器ＩＤをゲートウェイ端末登録要求とともに管理装置１１へ送信する（Ｓ５００３）。
【０２３７】
そして、管理装置１１の制御部１１２は、携帯端末２２からゲートウェイ端末登録要求を受信すると、受信したＧＷ機器ＩＤのゲートウェイ端末に共有パスワードが設定されているか否かを判断する（Ｓ５００４）。
【０２３８】
管理装置１１の制御部１１２は、共有パスワードが設定されていないと判断した場合（Ｓ５００４でＮ）、携帯端末２２に共有パスワードの登録要求を送信する（Ｓ５００５）。
【０２３９】
次に、携帯端末２２の制御部２２２は、データ入力部２２４を介してユーザに共有パスワードを入力させ、ユーザが入力した共有パスワードを管理装置１１へ送信する（Ｓ５００６）。
【０２４０】
そして、管理装置１１の家電情報管理部１１３は、受信した共有パスワードを、ＧＷ機器ＩＤおよびログインしているユーザＩＤと紐付けて家電情報リスト１０５５に登録することにより、ゲートウェイ端末５０を登録する（Ｓ５００７）。
【０２４１】
次に、管理装置１１の制御部２２２は、取得したＧＷ機器ＩＤによって特定されるゲートウェイ端末へ共有パスワードを送信する（Ｓ５００８）。本実施の形態では、ユーザが入力したＧＷ機器ＩＤでゲートウェイ端末５０を特定した例を用いて説明する。
【０２４２】
ゲートウェイ端末５０の制御部５０３は、管理装置１１から共有パスワードを受信すると、共有パスワードを共有パスワード記憶部５０５に登録する（Ｓ５００９）。
【０２４３】
次に、管理装置１１の制御部２２２は、家電登録要求をゲートウェイ端末５０へ送信する（Ｓ５０１０）。
【０２４４】
ゲートウェイ端末５０の制御部５０３は、家電登録要求を受信すると、ゲートウェイ端末５０の近傍に位置する家電を探索し、探索された家電へ家電機器ＩＤの読み出し要求を送信する（Ｓ５０１１）。本実施の形態では、家電３１を登録する例を用いて説明する。
【０２４５】
家電３１は、ゲートウェイ端末５０から家電機器ＩＤの読み出し要求を受信すると、家電機器ＩＤをゲートウェイ端末５０へ送信する（Ｓ５０１２）。そして、ゲートウェイ端末５０は、家電３１から家電機器ＩＤを受信すると、管理装置１１へ、ＧＷ機器ＩＤとともに家電機器ＩＤを送信する（Ｓ５０１３）。
【０２４６】
そして、管理装置１１の家電情報管理部１１３は、ＧＷ機器ＩＤと家電機器ＩＤとを受信すると、ステップＳ５００７で登録されたＧＷ機器ＩＤに紐付けて家電機器ＩＤを家電情報リスト１０５５に登録する（Ｓ５０１４）。
【０２４７】
また、管理装置１１の制御部１１２は、共有パスワードが設定されていると判断した場合（Ｓ５００４でＹ）、携帯端末２２へ共有パスワードを要求する（Ｓ５０１５）。
【０２４８】
そして、携帯端末２２の制御部２２２は、データ入力部２２４を介してユーザに共有パスワードを入力させ、ユーザが入力した共有パスワードを管理装置１１へ送信する（Ｓ５０１６）。
【０２４９】
そして、管理装置１１の制御部１１２は、受信した共有パスワードが、登録されているゲートウェイ端末５０に設定されている共有パスワードと一致しているか否かを判断する（Ｓ５０１７）。
【０２５０】
管理装置１１の制御部１１２は、受信した共有パスワードが、設定されている共有パスワードと一致しないと判断した場合（Ｓ５０１７でＮ）、登録エラーと判断する（Ｓ５０１８）。そして、管理装置１１の制御部１１２は、携帯端末２２へ登録のエラー通知を送信する（Ｓ５０１９）。
【０２５１】
一方、管理装置１１の制御部１１２が、受信した共有パスワードが、設定されている共有パスワードと一致すると判断した場合（Ｓ５０１７でＹ）、家電情報管理部１１３は、ログインしているユーザＩＤとＧＷ機器ＩＤとを紐付けて家電情報リスト１０５５に登録することにより、ゲートウェイ端末を登録する（Ｓ５０２０）。
【０２５２】
そして、管理装置１１の家電情報管理部１１３は、家電情報リスト１０５５を参照し、ゲートウェイ端末５０に紐付けられている家電機器ＩＤから、ゲートウェイ端末５０が管理している家電の一覧を生成する（Ｓ５０２１）。そして、家電情報管理部１１３は、生成した家電の一覧を通信部１１１を介して携帯端末２２へ送信する（Ｓ５０２２）。
【０２５３】
次に、携帯端末２２の制御部２２２は、家電の一覧を受信し、当該一覧を表示部２２３に表示して、データ入力部２２４を介してユーザに登録する家電を選択させる（Ｓ５０２３）。そして、携帯端末２２の制御部２２２は、家電の選択結果を管理装置１１へ通知する（Ｓ５０２４）。
【０２５４】
そして、管理装置１１の家電情報管理部１１３は、受信した選択結果から家電機器ＩＤを取得し、家電機器ＩＤをゲートウェイ端末のＧＷ機器ＩＤおよびユーザＩＤと紐付けて家電情報リスト１０５５に登録する（Ｓ５０２５）。
【０２５５】
２３．家電履歴情報のアップロード処理の動作
次に、家電履歴情報のアップロード処理の動作について説明する。
【０２５６】
図３３は、実施の形態５における家電履歴情報のアップロード処理の流れを示すシーケンス図である。
【０２５７】
家電３１は、ユーザが操作するとユーザ操作を検知する（Ｓ５１０１）。そして、家電３１は、当該ユーザ操作を検知後、家電の操作履歴、設定状態、あるいは消費電力量などの情報を家電履歴情報として、家電機器ＩＤとともにゲートウェイ端末５０に送信する（Ｓ５１０２）。
【０２５８】
ゲートウェイ端末５０の制御部５０３は、受信した家電機器ＩＤと家電履歴情報とを、識別情報記憶部５０４が記憶しているＧＷ機器ＩＤおよび共有パスワード記憶部５０５が記憶している共有パスワードとともに管理装置１１へ送信する（Ｓ５１０３）。
【０２５９】
そして、管理装置１１の家電情報管理部１１３は、受信したＧＷ機器ＩＤ、家電機器ＩＤ、および共有パスワードに紐付けられているユーザに対して、家電履歴情報を家電情報リスト１０５５に記憶する（Ｓ５１０４）。
【０２６０】
２４．見える化データの取得処理の動作
次に、見える化データの取得処理の動作について説明する。
【０２６１】
図３４は、実施の形態５における家電情報取得処理の流れを示すシーケンス図である。具体的には、同図は、見える化データ取得処理の流れを示すシーケンス図である。
【０２６２】
見える化データを取得したいユーザは、管理装置１１へログインするために、携帯端末２２のデータ入力部２２４を介してユーザＩＤとパスワードとを入力する。そして、携帯端末２２の制御部２２２は、ユーザから入力されたユーザＩＤとパスワードとを通信部２２１を介して送信する（Ｓ５２０１）。
【０２６３】
次に、携帯端末２２の制御部２２２は、見える化データを取得したい家電の家電機器ＩＤと共に見える化データ取得要求を通信部２２１を介して管理装置１１へ送信する（Ｓ５２０２）。
【０２６４】
そして、管理装置１１の制御部１１２は、通信部１１１を介してユーザＩＤ（ログインしているユーザのユーザＩＤ）と家電機器ＩＤと見える化データ取得要求とを受信し、携帯端末２２に共有パスワードを要求する（Ｓ５２０３）。
【０２６５】
そして、携帯端末２２は、ユーザに共有パスワードを入力させ、入力された共有パスワードを管理装置１１へ送信する（Ｓ５２０４）。そして、管理装置１１の制御部１１２は、受信した共有パスワードが、登録されている共有パスワードと一致しているか否かを判断する（Ｓ５２０５）。
【０２６６】
管理装置１１の制御部１１２は、受信した共有パスワードが、登録されている共有パスワードと一致していないと判断した場合（Ｓ５２０５でＮ）、エラーと判断する（Ｓ５２０６）。そして、管理装置１１の制御部１１２は、携帯端末２２へエラーを通知する（Ｓ５２０７）。
【０２６７】
一方、管理装置１１の制御部１１２が、受信した共有パスワードが、登録している共有パスワードと一致していると判断した場合（Ｓ５２０５でＹ）、ユーザＩＤと家電機器ＩＤと見える化データの生成指示とを見える化データ生成部１０４に送信する。そして、見える化データ生成部１１４は、家電情報リスト１０５５を参照し、家電機器ＩＤおよび共有パスワードが同じ家電履歴情報のすべてを取得する（Ｓ５２０８）。
【０２６８】
そして、見える化データ生成部１１４は、取得した家電履歴情報から、見える化データを生成する（Ｓ５２０９）。つまり、見える化データ生成部１１４は、ログインしているユーザと同じ共有パスワードのユーザの家電履歴情報を用いて、例えば、家電の操作履歴や、エコ情報、累積の電気代などを示すデータを生成する。
【０２６９】
そして、制御部１１２は、見える化データ生成部１１４が生成した見える化データを、通信部１１１を介して携帯端末２２へ送信する（Ｓ５２１０）。
【０２７０】
そして、携帯端末２２の制御部２２２は、受信した見える化データを表示部２２３に表示する（Ｓ５２１１）。
【０２７１】
２５．リモート制御処理の動作
次に、リモート制御処理の動作について説明する。本実施の形態では、携帯端末２２から管理装置１１へリモートの操作が依頼される。そして、管理装置１１でリモートの制御コマンドが生成され、ゲートウェイ端末５０を介して家電３１が操作される。
【０２７２】
図３５および図３６は、実施の形態５におけるリモート制御処理の流れを示すシーケンス図である。
【０２７３】
リモート制御をするユーザは、管理装置１１へログインするために、携帯端末２２のデータ入力部２２４を介してユーザＩＤとパスワードとを入力する。そして、携帯端末２２の制御部２２２は、ユーザから入力されたユーザＩＤとパスワードとを通信部２２１を介して管理装置１１へ送信する（Ｓ５３０１）。
【０２７４】
次に、携帯端末２２のデータ入力部２２４は、リモート制御をするユーザから、リモート制御の制御依頼の入力を受け付ける（Ｓ５３０２）。リモート制御とは、例えば家電の動作のオンオフや予約での動作のオンオフなどの制御である。携帯端末２２の制御部２２２は、ユーザがデータ入力部２２４を介して入力したリモート制御の制御依頼を管理装置１１へ送信する（Ｓ５３０３）。
【０２７５】
そして、管理装置１１の制御部１１２は、制御依頼を受信すると、携帯端末２２へ共有パスワードを要求する（Ｓ５３０４）。そして、携帯端末２２の制御部２２２は、ユーザに共有パスワードを入力させ、入力された共有パスワードを管理装置１１へ送信する（Ｓ５３０５）。
【０２７６】
次に、管理装置１１の制御部１１２は、ゲートウェイ端末５０へ共有パスワードを要求する（Ｓ５３０６）。そして、ゲートウェイ端末５０の制御部５０３は、共有パスワード記憶部５０５が記憶している共有パスワードを、管理装置１１へ送信する（Ｓ５３０７）。
【０２７７】
そして、管理装置１１の制御部１１２は、携帯端末２２から受信した共有パスワードとゲートウェイ端末５０から受信した共有パスワードとが一致するか否かを判断する（Ｓ５３０８）。
【０２７８】
管理装置１１の制御部１１２は、共有パスワードが一致しないと判断した場合（Ｓ５３０８でＮ）、エラーと判断する（Ｓ５３０９）。そして、制御部１１２は、エラーと判断した場合、携帯端末２２へエラー通知を行う（Ｓ５３１０）。
【０２７９】
一方、管理装置１１の制御部１１２は、共有パスワードが一致すると判断した場合（Ｓ５３０８でＹ）、ユーザの制御依頼に基づき制御コマンドを生成する（Ｓ５３１１）。
【０２８０】
次に、管理装置１１の制御部１１２は、ゲートウェイ端末５０へ、制御する家電の家電機器ＩＤと制御コマンドとを送信する（Ｓ５３１２）。そして、ゲートウェイ端末５０の制御部５０３は、管理装置１１から家電機器ＩＤと制御コマンドとを受信すると、受信した家電機器ＩＤの家電３１に対し制御コマンドを送信する（Ｓ５３１３）。そして、家電３１の制御部３１２は、制御コマンドを受信すると、当該制御コマンドに基づいて処理を実行する（Ｓ５３１４）。
【０２８１】
以上のように、通信部１１１は、家電機器から家電情報を受信するゲートウェイ端末５０とネットワーク１５を介して接続されており、ゲートウェイ端末５０から家電情報を受信する。
【０２８２】
また、家電情報管理部１１３は、ゲートウェイ端末５０を登録したときに、ゲートウェイ端末５０に紐付けて登録されるユーザによって生成された共有情報（共有パスワード）を、ゲートウェイ端末５０を識別するゲートウェイ識別情報（ＧＷ機器ＩＤ）とも紐付けて家電情報保持部１１５に記憶させる。
【０２８３】
そして、家電情報管理部１１３は、ゲートウェイ端末５０から共有情報と家電情報とを受信したときに、受信した共有情報と同一の共有情報に紐付いたユーザの家電情報として、受信した家電情報を家電情報保持部１１５に記憶させる。
【０２８４】
また、制御部１１２は、ユーザから家電機器の制御コマンドを受信した場合に、ユーザに紐付けられた共有情報とゲートウェイ端末５０から受信した共有情報とが一致する場合にのみ、家電機器を制御するための制御コマンドをゲートウェイ端末５０へ送信する。
【０２８５】
２６．効果
上記実施の形態により、家電から自動で家電情報を収集する場合において、共有パスワードを登録することで、不正に家電を登録し、家電履歴情報を不正に取得されることを防止することができる。また、ゲートウェイ端末に登録された共有パスワードを知っているユーザのみが、家電の登録ができ、見える化データの取得が可能となる。さらに、リモート制御では、ゲートウェイ端末に記憶されている共有パスワードを知っているユーザのみが制御コマンドを送信することができ、不正に操作されることを防ぐことができる。
【０２８６】
（実施の形態５の変形例）
上記実施の形態５では、管理装置１１は、ゲートウェイ端末５０から共有情報（共有パスワード）を受信し、ユーザに紐付けられた共有情報とゲートウェイ端末５０から受信した共有情報とが一致する場合にのみ、家電登録、見える化データの取得や制御コマンドの送信などを行うことができることとした。しかし、本変形例では、管理装置１１は、最新の共有情報（共有パスワード）を記憶しておくことで、ゲートウェイ端末５０から共有情報を受信することなく、適切に、家電登録、見える化データの取得または制御コマンドの送信などを行うことができる。
【０２８７】
具体的には、家電情報管理部１１３は、ゲートウェイ端末５０に紐付いたユーザによって生成された最新の共有情報（共有パスワード）を、ゲートウェイ端末５０を識別するゲートウェイ識別情報（ＧＷ機器ＩＤ）とも紐付けて家電情報保持部１１５に記憶させる。ここで、家電情報管理部１１３は、いずれの共有情報が最新の共有情報かを判別できるように、最新の共有情報にはフラグを付与するなどによって、最新の共有情報を示す情報を家電情報保持部１１５に記憶させる。
【０２８８】
図３７は、実施の形態５の変形例における家電情報リスト１０５６の一例を示した図である。同図に示すように、家電情報リスト１０５６は、上記実施の形態５における家電情報リスト１０５５とは異なり、「共有パスワード」の欄の共有パスワードの右側に、当該共有パスワードが最新であることを示す情報である「○」が付与されている。管理装置１１は、家電情報リスト１０５６の「共有パスワード」の欄に「○」が付与されているか否かを判定することで、対象の共有情報が最新の共有情報であるか否かを判別する。
【０２８９】
つまり、管理装置１１は、家電情報リスト１０５６の最新の共有情報を示す情報を参照することで、ゲートウェイ端末５０から共有情報を受信することなく、適切に、家電登録、見える化データの取得または制御コマンドの送信などを行うことができる。
【０２９０】
具体的には、家電情報管理部１１３は、実施の形態５の図３２において、ステップＳ５０１７に代えて、受信した共有パスワードが最新の共有パスワードと一致しているか否かを判断する。そして、家電情報管理部１１３は、受信した共有パスワードが最新の共有パスワードと一致していると判断した場合に、家電情報リスト１０５６に、ゲートウェイ端末を登録したり（図３２のＳ５０２０）、家電機器ＩＤを登録したり（図３２のＳ５０２５）、家電履歴情報を記憶したりする（図３３のＳ５１０４）。
【０２９１】
例えば、家電情報管理部１１３は、通信部１１１を介してゲートウェイ端末５０から家電情報を受信したときに、家電情報リスト１０５６の最新の共有情報を示す情報を参照して、ゲートウェイ識別情報と最新の共有情報とに紐付けられたユーザの家電情報として、受信した家電情報を家電情報保持部１１５に記憶させる。
【０２９２】
また、見える化データ生成部１１４は、実施の形態５の図３４において、ステップＳ５２０５に代えて、受信した共有パスワードが最新の共有パスワードと一致しているか否かを判断する。そして、見える化データ生成部１１４は、受信した共有パスワードが最新の共有パスワードと一致していると判断した場合に、同じ共有パスワードの家電履歴情報のすべてを取得したり（図３４のＳ５２０８）、取得した家電履歴情報から見える化データを生成したりする（図３４のＳ５２０９）。
【０２９３】
また、制御部１１２は、実施の形態５の図３５において、ステップＳ５３０８に代えて、受信した共有パスワードが最新の共有パスワードと一致しているか否かを判断する。そして、制御部１１２は、受信した共有パスワードが最新の共有パスワードと一致していると判断した場合に、制御コマンドを生成したり、送信したりする（図３６のＳ５３１１〜Ｓ５３１３）。つまり、制御部１１２は、ユーザから家電機器の制御コマンドを受信した場合に、ユーザに紐付けられた共有情報が最新の共有情報の場合に、家電機器を制御するための制御コマンドをゲートウェイ端末５０へ送信する。
【０２９４】
なお、上記の各処理において、実施の形態５で行われていた管理装置１１がゲートウェイ端末５０から共有情報を受信する処理は、本変形例では必要はないため、当該処理は省略することができる。
【０２９５】
上記変形例によれば、家電から自動で家電情報を収集する場合において、最新の共有パスワードを管理することで、ゲートウェイ端末から共有情報を受信することなく、不正に家電を登録し家電履歴情報を不正に取得されることを防止することができる。また、最新の共有パスワードを知っているユーザのみが、家電の登録ができ、見える化データの取得が可能となる。さらに、リモート制御では、最新の共有パスワードを知っているユーザのみが制御コマンドを送信することができ、不正に操作されることを防ぐことができる。
【０２９６】
（その他の変形例）
なお、本発明を上記実施の形態に基づいて説明してきたが、本発明は、上記実施の形態に限定されないのはもちろんである。以下のような場合も本発明に含まれる。
【０２９７】
（１）上記実施の形態では、家電情報リストは１つの家電のリストとしたが、これに限定するものではなく、複数の家電を含んだリストとしてもよい。
【０２９８】
（２）上記実施の形態では、管理装置にログインするために携帯端末からユーザＩＤとパスワードを入力して送信しているが、これに限定するものではなく、ログインの状態を保持して、２回目以降のログインにおいてはユーザＩＤとパスワードの送信を省略するとしてもよい。
【０２９９】
（３）上記実施の形態では、家電に家電識別情報記憶部があるとしているが、これに限定するものではなく、家電に実装されているＲＦＩＤタグや無線アダプタに家電識別情報記憶部があるとしてもよい。
【０３００】
（４）上記実施の形態２や実施の形態３では、家電登録時に家電情報を共有するユーザを登録しているが、これに限定するものではなく、任意のタイミングで共有するユーザを登録するとしてもよい。このとき、実施の形態２では、ステップＳ２００９以降を実行すればよく、実施の形態３では、ステップＳ３００９以降を実行すればよい。
【０３０１】
（５）上記実施の形態３では、ステップＳ３０１３で家電履歴情報を共有すると判断した場合、家電の機器ＩＤを読み出して、機器ＩＤを送信することで家電登録をしているが、これに限定するものではなく、携帯端末２１から家電履歴情報を共有する通知を送信し、管理装置１０で携帯端末２０が登録した家電と同じ家電を登録するとしてもよい。
【０３０２】
（６）上記実施の形態５では、ステップＳ５０１５やステップＳ５２０３、ステップＳ５３０４において、携帯端末２２がログイン後に管理装置１１から共有パスワードを要求し、携帯端末２２から共有パスワードを送信しているが、これに限定するものではなく、管理装置１１で共有パスワードをユーザと紐付けて記憶している場合、共有パスワードを要求しないとしてもよい。
【０３０３】
（７）上記実施の形態５では、ゲートウェイ端末５０に共有パスワードを記憶するとしているが、これに限定するものではなく、管理装置１１でゲートウェイ端末５０に設定されている最新の共有パスワードを管理するとしてもよい。このとき、家電履歴情報のアップロード処理や見える化データの取得処理、リモート制御処理は最新の共有パスワードが登録されているユーザに紐づいて実行される。
【０３０４】
（８）上記の各モジュールは、具体的には、それぞれ個別のコンピュータプログラムであってもよいし、オペレーティングシステムに組み込まれるモジュールであってもよいし、オペレーティングシステムから呼ばれるドライバであってもよいし、アプリケーションプログラムであってもよい。
【０３０５】
（９）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０３０６】
（１０）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０３０７】
また、上記の各装置を構成する構成要素の各部は、個別に１チップ化されていても良いし、一部又は全てを含むように１チップ化されてもよい。
【０３０８】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０３０９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０３１０】
（１１）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０３１１】
（１２）本発明は、上記に示す方法（家電情報共有方法）であるとしてもよい。また、これらの方法をコンピュータにより実現するコンピュータプログラムであるとしてもよいし、前記コンピュータプログラムからなるデジタル信号であるとしてもよい。すなわち、この家電情報共有方法は、家電機器から前記家電機器に関する情報である家電情報を収集し、収集した前記家電情報から得られる情報である提供情報をユーザに提供する家電情報共有方法であって、前記ユーザから前記提供情報の提供を要求された場合に、前記家電情報を共有するための共有情報であって前記ユーザに紐付いた共有情報と前記家電情報とを紐付けて保持している家電情報保持部が保持しているデータを参照し、前記ユーザに紐付いた前記共有情報と同一の共有情報に紐付けて保持されている家電情報を取得し、取得した前記家電情報から得られる前記提供情報を前記ユーザへ提供する。
【０３１２】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしてもよい。また、これらの記録媒体に記録されている前記デジタル信号であるとしてもよい。
【０３１３】
また、本発明は、前記コンピュータプログラムまたは前記デジタル信号を、電気通信回線、無線または有線通信回線、インターネットを代表とするネットワーク、データ放送等を経由して伝送するものとしてもよい。
【０３１４】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０３１５】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【０３１６】
（１３）上記実施の形態および上記変形例をそれぞれ組み合わせるとしてもよい。
【産業上の利用可能性】
【０３１７】
本発明は、家電の履歴情報を管理装置に収集し、収集した家電の履歴情報を許可されたユーザ間で共有するシステムに広く適用することができる。
【符号の説明】
【０３１８】
１、２  家電情報共有システム
１０、１１  管理装置
１５  ネットワーク
１６  ＲＦＩＤ通信
１７  無線通信
２０、２１、２２  携帯端末
３０、３１  家電
４０  ＲＦＩＤタグ
４１  無線アダプタ
５０  ゲートウェイ端末
１０１、１１１  通信部
１０２、１１２  制御部
１０３、１１３  家電情報管理部
１０４、１１４  見える化データ生成部
１０５、１１５  家電情報保持部
１０５１、１０５１Ａ、１０５１Ｂ、１０５２、１０５２Ａ、１０５２Ｂ、１０５３、１０５３Ａ、１０５５、１０５６  家電情報リスト
２０１、２２１  通信部
２０２  ＲＦＩＤ通信部
２０３、２２２  制御部
２０４、２２３  表示部
２０５、２２４  データ入力部
３０１  タグ通信部
３０２、３１２  制御部
３０３、３１３  家電識別情報記憶部
３０４  家電履歴情報保持部
３１１  アダプタ通信部
５０１  通信部
５０２  無線通信部
５０３  制御部
５０４  識別情報記憶部
５０５  共有パスワード記憶部
【図１】
0006048838.tif 000002
【図２】
0006048838.tif 000003
【図３】
0006048838.tif 000004
【図４】
0006048838.tif 000005
【図５】
0006048838.tif 000006
【図６】
0006048838.tif 000007
【図７】
0006048838.tif 000008
【図８】
0006048838.tif 000009
【図９】
0006048838.tif 000010
【図１０】
0006048838.tif 000011
【図１１】
0006048838.tif 000012
【図１２】
0006048838.tif 000013
【図１３】
0006048838.tif 000014
【図１４】
0006048838.tif 000015
【図１５】
0006048838.tif 000016
【図１６】
0006048838.tif 000017
【図１７】
0006048838.tif 000018
【図１８】
0006048838.tif 000019
【図１９】
0006048838.tif 000020
【図２０】
0006048838.tif 000021
【図２１】
0006048838.tif 000022
【図２２】
0006048838.tif 000023
【図２３】
0006048838.tif 000024
【図２４】
0006048838.tif 000025
【図２５】
0006048838.tif 000026
【図２６】
0006048838.tif 000027
【図２７】
0006048838.tif 000028
【図２８】
0006048838.tif 000029
【図２９】
0006048838.tif 000030
【図３０】
0006048838.tif 000031
【図３１】
0006048838.tif 000032
【図３２】
0006048838.tif 000033
【図３３】
0006048838.tif 000034
【図３４】
0006048838.tif 000035
【図３５】
0006048838.tif 000036
【図３６】
0006048838.tif 000037
【図３７】
0006048838.tif 000038